(57)【特許請求の範囲】
【請求項１】
無線通信のための方法であって、
複数のダウンリンクキャリアのためのチャネル品質情報を推定することと、
複数の中（in the plurality）のアクティベートされたキャリアの数に少なくとも部分的に基づいてアップリンク制御チャネルを構成することと
を備え、前記アップリンク制御チャネルを構成することはさらに、
前記複数のダウンリンクキャリアのうちの１又は複数がＭＩＭＯを用いて構成されているかどうかに少なくとも部分的に基づいて、アップリンク制御チャネルを構成することと、
複数の中に第１の数のアクティベートされたダウンリンクキャリアが存在する場合に、送信タイミング間隔の一部内でコードワードを反復することと、
前記反復に応答して、前記アップリンク制御チャネルを送信するモバイルデバイスにおける電力を低減することと、
複数の中に前記第１の数のアクティベートされたダウンリンクキャリアが存在する場合に、第１のコードワードで第１のキャリアのためのチャネル品質情報を符号化すること、および第２のコードワードで第２のキャリアのためのチャネル品質情報を符号化することを実行することと、
送信タイミング間隔内での伝送のための前記第１のコードワードおよび前記第２のコードワードをグループ化することと
を備える、無線通信のための方法。
【請求項２】
前記アップリンク制御チャネルは、アクティベートされたキャリアの異なる数に対して、一定のフィードバック周期を維持するように構成される請求項１に記載の方法。
【請求項３】
前記アップリンク制御チャネルを構成することはさらに、
前記複数のダウンリンクキャリアのうちの第２の数のダウンキャリアがアクティベートされている場合に、第３のコードワードで第１のキャリアのためのチャネル品質情報をグループ化することと、
前記送信タイミング間隔において前記コードワードを反復することとを備える請求項１に記載の方法。
【請求項４】
前記アップリンク制御チャネルを構成することは、
複数の中に第１の数のアクティベートされたキャリアが存在する場合に、第１のコードワードを使用して第１のキャリアおよび第２のキャリアのためのアクノレッジメント情報を符号化すること、および第２のコードワードを使用して第３のキャリアおよび第４のキャリアのためのアクノレッジメント情報を符号化することを実行することと、
送信タイミング間隔のスロット内での伝送のための前記第１のコードワードおよび前記第２のコードワードをグループ化することとを備える請求項１に記載の方法。
【請求項５】
前記アップリンク制御チャネルを構成することはさらに、
複数の中に第２の数のアクティベートされたキャリアが存在する場合に、第３のコードワードを使用して１又は複数のキャリアのためのアクノレッジメント情報を符号化することと、
前記送信タイミング間隔のスロット内で前記第３のコードワードを反復することとを備える請求項４に記載の方法。
【請求項６】
前記アップリンク制御チャネルを構成することは、
複数の中に３つのアクティベートされたキャリアが存在する場合に、第１のコードワードを使用して第１のキャリアおよび第２のキャリアのためのアクノレッジメント情報を符号化すること、および第２のコードワードを使用して第３のキャリアのためのアクノレッジメント情報を符号化することを実行することと、
送信タイミング間隔のスロット内での伝送のための前記第１のコードワードおよび前記第２のコードワードをグループ化することとを備える請求項１に記載の方法。
【請求項７】
前記アップリンク制御チャネルを構成することは、
送信タイミング間隔の半スロット内の伝送のために、第１のコードワードを使用して１又は複数のキャリアのためのアクノレッジメント情報を符号化することを備える請求項１に記載の方法。
【請求項８】
前記アップリンク制御チャネルを構成することはさらに、
複数の中に第１の数のアクティベートされたキャリアが存在する場合に、送信タイミング間隔の一部のために第１の拡散率を使用することと、
複数の中に第２の数のアクティベートされたキャリアが存在する場合に、前記送信タイミング間隔の一部のために第２の拡散率を使用することとを備え、前記第２の数は前記第１の数と異なる請求項１に記載の方法。
【請求項９】
前記アップリンク制御チャネルを構成することはさらに、
複数の中の１又は複数のアクティベートされたキャリアのための不連続な伝送が存在する場合に、不連続な伝送を表すコードワードを使用して、１又は複数のキャリアのためのアクノレッジメント情報を符号化することを備える請求項１に記載の方法。
【請求項１０】
前記アップリンク制御チャネルを構成することはさらに、
複数の中に第１の数のアクティベートされたキャリアが存在する場合に、送信タイミング間隔の第１の部分に第１のキャリアをマッピングすることと、
複数の中に第２の数のアクティベートされたキャリアが存在する場合に、送信タイミング間隔の第２の部分に前記第１のキャリアをマッピングすることとを備え、前記第２の数は前記第１の数と異なる請求項１に記載の方法。
【請求項１１】
前記アップリンク制御チャネルを構成することはさらに、
少なくとも４つのキャリアを識別することであって、前記４つのキャリアは論理シーケンシャル順序に関連付けられることと、
前記少なくとも４つのキャリアのうちの１つのデアクティベーションを識別することと、
前記アップリンク制御チャネルで残りのアクティブなキャリアの論理シーケンシャル順序を保存することとを備える請求項１に記載の方法。
【請求項１２】
前記アップリンク制御チャネルを構成することはさらに、
第１の数のキャリアのアクティベーションを識別することと、
追加的なキャリアのアクティベーションを識別することと、
前記追加的なキャリアのアクティベーションに応答して、前記アップリンク制御チャネルの構成を変更することとを備える請求項１に記載の方法。
【請求項１３】
無線通信のためのモバイル端末であって、
複数のダウンリンクキャリアのためのチャネル品質情報を推定するように構成されたチャネル品質情報測定モジュールと、
複数の中のアクティベートされたキャリアの数に少なくとも部分的に基づいてアップリンク制御チャネルを変形するように構成され、前記チャネル品質情報測定モジュールに通信的に結合されたフィードバック符号化器モジュールと
を備え、前記アップリンク制御チャネルを変形するために、前記フィードバック符号化器モジュールは、
前記複数のダウンリンクキャリアのうちの１又は複数がＭＩＭＯを用いて構成されているかどうかに少なくとも部分的に基づいて、アップリンク制御チャネルを変形し、
複数の中に第１の数のアクティベートされたキャリアが存在する場合に、送信タイミング間隔の一部のためにコードワードを反復し、
複数の中に第２の数のアクティベートされたキャリアが存在する場合に、前記送信タイミング間隔の一部のために様々なコードワードを使用し、ここで、前記第２の数は前記第１の数と異なり、
前記反復に応答して前記モバイル端末における伝送電力を低減し、
前記複数のダウンリンクキャリアのうちの第１の数のダウンキャリアがアクティベートされている場合に、第１のコードワードで第１のキャリアのためのチャネル品質情報をグループ化し、
送信タイミング間隔の一部において前記コードワードを反復する
ように構成される、無線通信のためのモバイル端末。
【請求項１４】
前記フィードバック符号化器モジュールは、アクティベートされたキャリアの異なる数に対して、一定のフィードバック周期を維持するように構成される請求項１３に記載のモバイル端末。
【請求項１５】
前記アップリンク制御チャネルを変形するために、前記フィードバック符号化器モジュールは、
複数の中に第２の数のアクティベートされたキャリアが存在する場合に、第２のコードワードで第１のキャリアのためのチャネル品質情報を符号化すること、および第３のコードワードで第２のキャリアのためのチャネル品質情報を符号化することを実行し、
前記送信タイミング間隔の一部内での伝送のための前記第２のコードワードおよび前記第３のコードワードをグループ化するように構成される請求項１３に記載のモバイル端末。
【請求項１６】
前記アップリンク制御チャネルを変形するために、前記フィードバック符号化器モジュールは、
複数の中に第１の数のアクティベートされたキャリアが存在する場合に、第１のコードワードを使用して第１のキャリアおよび第２のキャリアのためのアクノレッジメント情報を符号化すること、および第２のコードワードを使用して第３のキャリアおよび第４のキャリアのためのアクノレッジメント情報を符号化することを実行し、
送信タイミング間隔のスロット内での伝送のための前記第１のコードワードおよび前記第２のコードワードをグループ化するように構成される請求項１３に記載のモバイル端末。
【請求項１７】
前記アップリンク制御チャネルを変形するために、前記フィードバック符号化器モジュールは、
複数の中に第２の数のアクティベートされたキャリアが存在する場合に、第３のコードワードを使用して２つのキャリアのためのアクノレッジメント情報を符号化し、
前記送信タイミング間隔のスロット内で前記第３のコードワードを反復するように構成される請求項１６に記載のモバイル端末。
【請求項１８】
前記アップリンク制御チャネルを変形するために、前記フィードバック符号化器モジュールは、
複数の中に３つのアクティベートされたキャリアが存在する場合に、第１のコードワードを使用して第１のキャリアおよび第２のキャリアのためのアクノレッジメント情報を符号化すること、および第２のコードワードを使用して第３のキャリアのためのアクノレッジメント情報を符号化することを実行し、
送信タイミング間隔のスロット内での伝送のための前記第１のコードワードおよび前記第２のコードワードをグループ化するように構成される請求項１３に記載のモバイル端末。
【請求項１９】
前記アップリンク制御チャネルを変形するために、前記フィードバック符号化器モジュールは、
送信タイミング間隔の半スロット内の伝送のために、第１のコードワードを使用して１又は複数のキャリアのためのアクノレッジメント情報を符号化するように構成される請求項１３に記載のモバイル端末。
【請求項２０】
前記アップリンク制御チャネルを変形するために、前記フィードバック符号化器モジュールは、
複数の中に第１の数のアクティベートされたキャリアが存在する場合に、不連続な伝送を表すコードワードを使用して、１又は複数のアクティベートされたキャリアのためのアクノレッジメント情報を符号化するように構成される請求項１３に記載のモバイル端末。
【請求項２１】
前記アップリンク制御チャネルを変形するために、前記フィードバック符号化器モジュールは、
複数の中に第１の数のアクティベートされたキャリアが存在する場合に、送信タイミング間隔の一部のために第１の拡散率を使用し、
複数の中に第２の数のアクティベートされたキャリアが存在する場合に、前記送信タイミング間隔の一部のために第２の拡散率を使用するように構成され、前記第２の数は前記第１の数と異なる請求項１３に記載のモバイル端末。
【請求項２２】
前記アップリンク制御チャネルを変形するために、前記フィードバック符号化器モジュールは、
複数の中に第１の数のアクティベートされたキャリアが存在する場合に、送信タイミング間隔の第１の部分に第１のキャリアをマッピングし、
複数の中に第２の数のアクティベートされたキャリアが存在する場合に、送信タイミング間隔の第２の部分に前記第１のキャリアをマッピングするように構成され、前記第２の部分は前記第１の部分と異なる請求項１３に記載のモバイル端末。
【請求項２３】
少なくとも４つのキャリアがアクティベートされ、前記４つのキャリアは論理シーケンシャル順序に関連付けられ、
前記少なくとも４つのキャリアのうちの１つがデアクティベートされている場合、前記残りのアクティブなキャリアの前記論理シーケンシャル順序は、前記アップリンク制御チャネルにおいて保存される請求項１３に記載のモバイル端末。
【請求項２４】
前記チャネル品質情報測定モジュールはさらに、
第１の数のキャリアを識別し、
追加的なキャリアのアクティベーションを識別するように構成され、
前記フィードバック符号化器モジュールはさらに、前記追加的なキャリアのアクティベーションに応答して、前記アップリンク制御チャネルの構成を変形するように構成される請求項１３に記載のモバイル端末。
【発明の詳細な説明】
【技術分野】
【０００１】
［関連出願］
本願は、「FLEXIBLE CHANNEL QUALITY INDICATOR CONFIGURATION」と題され、２０１０年４月７日に提出された、同時係属の米国特許仮出願６１/３２１８５８号と、「FLEXIBLE HS-DPCCH MAPPING IN 4C-HSDPA,」と題され、２０１０年２月１２日に提出された同時係属の米国特許仮出願６１/３０４３１５号とからの優先権を主張する。全体が本願明細書において説明されたかのように、すべての目的に対して、上記出願の各々は参照によって本願明細書に援用される。
【背景技術】
【０００２】
［背景技術］
以下の記載は一般的に無線通信に関し、特に、マルチキャリア無線通信システムにおけるダウンリンクチャネル品質情報の伝送に関する。無線通信システムは、音声、ビデオ、パケットデータ、メッセージング、ブロードキャストなどといった、様々なタイプの通信コンテンツを提供するために広く展開されている。これらのシステムは、（例えば、時間、周波数、および電力のような）利用可能なシステムリソースを共有することによって複数のユーザとの通信をサポートすることができる多元接続システムでありうる。このような多元接続システムの実例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、あるいは直交周波数分割多元接続（ＯＦＤＭＡ）システムを含む。
【０００３】
一般的に、無線多元接続システムは、複数のモバイル端末のための通信を同時にサポートするために多数の基地局を含みうる。各モバイル端末は、フォワードリンクおよびリバースリンクでの伝送によって１又は複数の基地局と通信する。「ダウンリンク」への言及は基地局から端末への通信リンクを指し、「アップリンク」への言及は端末から基地局への通信リンクを指す。システムは、複数のキャリア上での動作をサポートしうる。各キャリアは、特定の中心周波数および特定の帯域幅に関連付けられうる。各キャリアは、キャリア上での動作をサポートするためにパイロットおよびオーバヘッド情報を搬送し、キャリア上で動作する端末のためのデータを搬送しうる。
【０００４】
ダウンリンクチャネル品質情報が、各モバイル端末によって測定されうる。複数のキャリアがモバイル端末への伝送のためにダウンリンクで使用される場合、アップリンクでのこの情報の伝送の構成が電力節約およびマッピングにおける課題を提示しうる。
【発明の概要】
【０００５】
説明された特徴は一般的に、モバイル端末において測定されたダウンリンクチャネル品質情報のアップリンク伝送に関する。発明の態様の適用性のさらなる範囲が、以下に記載される詳細な説明、請求項の範囲、および図面から明らかとなるだろう。説明の精神および範囲に含まれるさまざまな変更および変形例は当業者に対して明らかとなるであろうことから、詳細な説明および特定の実例は例示のみを目的として示される。
【０００６】
システム、方法、デバイス、およびコンピュータプログラム製品が、マルチキャリア無線通信システムにおけるダウンリンクチャネル品質情報の伝送に関して説明される。チャネル品質情報は、多数のダウンリンクキャリアのために推定されうる。アップリンク制御チャネルは、アクティベートされたキャリアの数(a numberof activated carriers)と、これらのキャリアがＭＩＭＯを用いて構成されているかどうかとに基づいて構成されうる。したがって、アップリンク制御チャネルのためのフレーム構造、コーディング、およびマッピングは、アクティベートされたキャリアの数に基づいてフレキシブルでありうる。チャネル品質情報のためのフィードバック周期は一定のままでありうる。１つの実例において、チャネル品質情報は、単一のコードワード(codeword)で（in）１又は複数のキャリアのためにグループ化される。コードワードは反復されうる。いくつかの実例において、コードワードは反復され、送信しているデバイスにおける電力消費が低減されうる。
【０００７】
実例の１つのセットにおいて、無線通信のための方法は、複数のダウンリンクキャリアのためのチャネル品質情報を推定することと、複数の中（in the plurality)のアクティベートされたキャリアの数に少なくとも部分的に基づいてアップリング制御チャネルを構成することとを含む。アップリンク制御チャネルの構成は、複数の中に第１の数のアクティベートされたキャリアが存在する場合、送信タイミング間隔の一部内でコードワードを反復することと、この反復に応答してアップリンク制御チャネルを送信するモバイルデバイスにおける電力を低減することとを含みうる。アップリンク制御チャネルは、アクティベートされたキャリアの多数の異なる数に対して、一定のフィードバック周期を維持するように構成されうる。
【０００８】
アップリンク制御チャネルを構成することは、複数の中に第１の数のアクティベートされたキャリアが存在する場合に、第１のコードワードで第１のキャリアのためのチャネル品質情報を符号化すること、および第２のコードワードで第２のキャリアのためのチャネル品質情報を符号化することを実行することと、送信タイミング間隔内の伝送のための第１のコードワードおよび第２のコードワードをグループ化することとを含みうる。アップリンク制御チャネルを構成することは、第２の数の複数のダウンリンクキャリアがアクティベートされている場合に、第３のコードワードで第１のキャリアのためのチャネル品質情報をグループ化することと、送信タイミング間隔においてコードワードを反復することとをさらに含みうる。
【０００９】
アップリンク制御チャネルを構成することは、複数の中に第１の数のアクティベートされたキャリアが存在する場合に、第１のコードワードを使用して第１のキャリアおよび第２のキャリアのためのアクノレッジメント情報(acknowledgement information)を符号化すること、および第２のコードワードを使用して第３のキャリアおよび第４のキャリアのためのアクノレッジメント情報を符号化することを実行することと、送信タイミング間隔のスロット内の伝送のための第１のコードワードおよび第２のコードワードをグループ化することとを含みうる。アップリンク制御チャネルを構成することはさらに、複数の中に第２の数のアクティベートされたキャリアが存在する場合に、第３のコードワードを使用して１又は複数のキャリアのためのアクノレッジメント情報を符号化することと、送信タイミング間隔のスロット内で第３のコードワードを反復することとを含みうる。
【００１０】
アップリンク制御チャネルを構成することは、複数の中に３つのアクティベートされたキャリアが存在する場合に、第１のコードワードを使用して第１のキャリアおよび第２のキャリアのためのアクノレッジメント情報を符号化すること、および第２のコードワードを使用して第３のキャリアのためのアクノレッジメント情報を符号化することを実行することと、送信タイミング間隔のスロット内の伝送のための第１のコードワードおよび第２のコードワードをグループ化することとを含みうる。アップリンク制御チャネルを構成することは、送信タイミング間隔の半スロット(half-slot)内の伝送のために、第１のコードワードを使用して１又は複数のキャリアのためのアクノレッジメント情報を符号化することを含みうる。アップリンク制御チャネルを構成することは、複数のダウンリンクキャリアのうちの１又は複数がＭＩＭＯを用いて構成されているかどうかに少なくとも部分的に基づいて、アップリンク制御チャネルを構成することを含みうる。アップリンク制御チャネルを構成することは、複数の中に第１の数のアクティベートされたキャリアが存在する場合に、送信タイミング間隔の一部のための第１の拡散率を使用することと、複数の中に第２の数のアクティベートされたキャリアが存在する場合に、送信タイミング間隔の一部のために第２の拡散率を使用することとを含みうる、なお、第２の数は第１の数と異なる。アップリンク制御チャネルを構成することは、複数の中の１又は複数のアクティベートされたキャリアのための不連続な伝送が存在する場合に、不連続な伝送を表すコードワードを使用して、１又は複数のキャリアのためのアクノレッジメント情報を符号化することを含みうる。アップリンク制御チャネルを構成することは、複数の中に第１の数のアクティベートされたキャリアが存在する場合に、送信タイミング間隔の第１の部分に第１のキャリアをマッピングすることと、複数の中に第２の数のアクティベートされたキャリアが存在する場合に、送信タイミング間隔の第２の部分に第１のキャリアをマッピングすることとを含みうる、なお、第２の数は第１の数と異なる。
【００１１】
アップリング制御チャネルを構成することは、論理シーケンシャル順序に関連付けられた少なくとも４つのキャリアを識別することと、この少なくとも４つのキャリアのうちの１つのデアクティベーションを識別することと、アップリンク制御チャネルにおける残りのアクティブなキャリアの論理シーケンシャル順序を保存することとを含みうる。アップリンク制御チャネルを構成することは、第１の数のキャリアのアクティベーションを識別することと、追加的なキャリアのアクティベーションを識別することと、追加的なキャリアのアクティベーションに応答してアップリンク制御チャネルの構成を変更することとを含みうる。
【００１２】
実例の別のセットにおいて、無線通信のためのモバイル端末は、複数のダウンリンクキャリアのためのチャネル品質情報を推定するように構成されたチャネル品質情報測定モジュールと、このチャネル品質情報測定モジュールに通信的に結合され、複数の中のアクティベートされたキャリアの数に少なくとも部分的に基づいてアップリンク制御チャネルを変形(modify）するように構成されたフィードバック符号化器モジュールとを含みうる。
【００１３】
フィードバック符号化器モジュールは、複数の中に第１の数のアクティベートされたキャリアが存在する場合に、送信タイミング間隔の一部のためにコードワードを反復することと、複数の中に第２の数のアクティベートされたキャリアが存在する場合に、送信タイミング間隔の一部のために多様なコードワードを使用することとによってアップリンク制御チャネルを変形しうる、なお、第２の数は第１の数と異なる。フィードバック符号化器モジュールは、送信タイミング間隔においてコードワードを反復することと、この反復に応答してモバイル端末における伝送電力を低減することとによってアップリンク制御チャネルを変形しうる。フィードバック符号化器モジュールは、アクティベートされたキャリアの多数の異なる数に対して、一定のフィードバック周期を維持しうる。
【００１４】
フィードバック符号化器モジュールは、複数のダウンリンクキャリアのうちの第１の数のダウンリンクキャリアがアクティベートされている場合に、第１のコードワードで第１のキャリアのためのチャネル品質情報をグループ化することと、送信タイミング間隔の一部においてコードワードを反復することとによってアップリンク制御チャネルを変形しうる。フィードバック符号化器モジュールは、複数の中に第２の数のアクティベートされたキャリアが存在する場合に、第２のコードワードで第１のキャリアのためのチャネル品質情報を符号化すること、および第３のコードワードで第２のキャリアのためのチャネル品質情報を符号化することを実行することと、送信タイミング間隔の一部内の伝送のための第２のコードワードおよび第３のコードワードをグループ化することとによってアップリンク制御チャネルを変形しうる。
【００１５】
フィードバック符号化器モジュールは、複数の中に第１の数のアクティベートされたキャリアが存在する場合に、第１のコードワードを使用して第１のキャリアおよび第２のキャリアのためのアクノレッジメント情報を符号化すること、および第２のコードワードを使用して第３のキャリアおよび第４のキャリアのためのアクノレッジメント情報を符号化することを実行することと、送信タイミング間隔のスロット内の伝送のための第１のコードワードおよび第２のコードワードをグループ化することとによってアップリンク制御チャネルを変形しうる。フィードバック符号化器モジュールは、複数の中に第２の数のアクティベートされたキャリアが存在する場合に、第３のコードワードを使用して２つのキャリアのためのアクノレッジメント情報を符号化することと、送信タイミング間隔のスロット内で第３のコードワードを反復することとによってアップリンク制御チャネルを変形しうる。フィードバック符号化器モジュールは、複数の中に３つのアクティベートされたキャリアが存在する場合に、第１のコードワードを使用して第１のキャリアおよび第２のキャリアのためのアクノレッジメント情報を符号化すること、および第２のコードワードを使用して第３のキャリアのためのアクノレッジメント情報を符号化することを実行することと、送信タイミング間隔のスロット内の伝送のための第１のコードワードおよび第２のコードワードをグループ化することとによってアップリンク制御チャネルを変形しうる。
【００１６】
フィードバック符号化器モジュールは、送信タイミング間隔の半スロット内の伝送のために、第１のコードワードを使用して１又は複数のキャリアのためのアクノレッジメント情報を符号化することによって、アップリンク制御チャネルを変形しうる。フィードバック符号化器モジュールは、複数の中に第１の数のアクティベートされたキャリアが存在する場合に、不連続な伝送を表すコードワードを使用して、１又は複数のアクティベートされたキャリアのためのアクノレッジメント情報を符号化することによってアップリンク制御チャネルを変形しうる。フィードバック符号化器モジュールは、複数のダウンリンクキャリアのうちの１又は複数がＭＩＭＯを用いて構成されているかどうかに少なくとも部分的に基づいて、アップリンク制御チャネルを変形しうる。フィードバック符号化器モジュールは、複数の中に第１の数のアクティベートされたキャリアが存在する場合に、送信タイミング間隔の一部のための第１の拡散率を使用することと、複数の中に第２の数のアクティベートされたキャリアが存在する場合に、送信タイミング間隔の一部のために第２の拡散率を使用することとによってアップリンク制御チャネルを変形しうる、なお、第２の数は第１の数と異なる。フィードバック符号化器モジュールは、複数の中に第１の数のアクティベートされたキャリアが存在する場合に、送信タイミング間隔の第１の部分に第１のキャリアをマッピングすることと、複数の中に第２の数のアクティベートされたキャリアが存在する場合に、送信タイミング間隔の第２の部分に第１のキャリアをマッピングすることとによってアップリンク制御チャネルを変形しうる、なお、第２の部分は第１の部分と異なる。１つの実例において、論理シーケンシャル順序に関連付けられた少なくとも４つのキャリアがアクティベートされ、この少なくとも４つのキャリアのうちの１つがデアクティベートされる場合に、残りのアクティブなキャリアの論理シーケンシャル順序はアップリンク制御チャネルにおいて保存される。別の実例において、チャネル品質情報測定モジュールはさらに、第１の数のキャリアを識別し、追加的なキャリアのアクティベーションを識別するように構成され、フィードバック符号化器モジュールはさらに、追加的なキャリアのアクティベーションに応答して、アップリンク制御チャネルの構成を変形するように構成される。
【００１７】
実例の別のセットにおいて、無線通信のためのデバイスは、複数のダウンリンクキャリアのためのチャネル品質情報を推定する手段と、複数の中のアクティベートされたキャリアの数に少なくとも部分的に基づいてアップリング制御チャネルを構成する手段とを含む。アップリンク制御チャネルを構成する手段は、複数の中に第１の数のアクティベートされたキャリアが存在する場合に、送信タイミング間隔の一部内でコードワードを反復する手段を含みうる。アップリンク制御チャネルを構成する手段は、この反復に応答してアップリンク制御チャネルを送信するモバイルデバイスにおける電力を低減する手段を含みうる。アップリンク制御チャネルを構成する手段は、アクティベートされたキャリアの異なる数に対して、一定のフィードバック周期を維持しうる。アップリンク制御チャネルを構成する手段は、複数のダウンリンクキャリアの中の１又は複数がＭＩＭＯを用いて構成されているかどうかに少なくとも部分的に基づいて、アップリンク制御チャネルを構成する手段を含みうる。
【００１８】
実例の別のセットにおいて、コンピュータプログラム製品は、コンピュータに、複数のダウンリンクキャリアのためのチャネル品質情報を推定させるためのコードと、コンピュータに、複数の中のアクティベートされたキャリアの数に少なくとも部分的に基づいてアップリング制御チャネルを構成させるためのコードとを有するコンピュータ可読媒体を含む。コンピュータに、複数の中に第１の数のアクティベートされたキャリアが存在する場合に、送信タイミング間隔の一部内でコードワードを反復させるためのコードが存在しうる。コンピュータに、この反復に応答して、アップリンク制御チャネルを送信するモバイルデバイスにおける電力を低減させるためのコードが存在しうる。コンピュータに、複数のダウンリンクキャリアのうちの１又は複数がＭＩＭＯを用いて構成されているかどうかに少なくとも部分的に基づいて、アップリンク制御チャネルを構成させるためのコードが存在しうる。
【図面の簡単な説明】
【００１９】
本発明の本質および利点のさらなる理解が、以下の図面を参照することによって実現されうる。添付図面において、類似のコンポーネントあるいは特徴は同じ参照ラベルを有しうる。さらに、同じタイプのさまざまなコンポーネントが、参照ラベルに、ハイフンと、類似のコンポーネントを区別する第２のラベルとを後続させることによって区別されうる。本明細書で第１の参照ラベルのみが用いられている場合には、その説明は、第２の参照ラベルにかかわらず同じ第１の参照ラベルを有する類似のコンポーネントの何れか１つに適用するものである。
【図１】図１は、２つのラジオネットワークサブシステムと共にコアおよびユーザ機器に対するインタフェースを有するラジオアクセスシステムのブロック図である。
【図２】図２は、セルラ通信システムの簡略表現である。
【図３】図３は、ノードＢおよびラジオネットワークコントローラがパケットネットワークインタフェースとインタフェースする通信システムの一部のブロック図である。
【図４】図４は、ユーザ機器（ＵＥ）のブロック図である。
【図５】図５は、送信機の構造を介する信号の機能ブロックフロー図である。
【図６】図６は、モバイル端末のブロック図である。
【図７】図７は、モバイル端末のための符号化器モジュールのブロック図である。
【図８】図８は、４つのＭＩＭＯキャリアがアクティベートされる場合にチャネル品質情報（ＣＱＩ）およびアクノレッジメントデータを送信するための制御チャネル構成のブロック図である。
【図９】図９は、４つの非ＭＩＭＯキャリアがアクティベートされる場合にＣＱＩおよびアクノレッジメントデータを送信するための制御チャネル構成のブロック図である。
【図１０】図１０は、４つの非ＭＩＭＯキャリアがアクティベートされる場合にＣＱＩおよびアクノレッジメントデータを送信するための代替的な制御チャネル構成のブロック図である。
【図１１】図１１は、３つのキャリアがアクティベートされる場合にＣＱＩおよびアクノレッジメントデータを送信するための制御チャネル構成のブロック図である。
【図１２】図１２は、２つのキャリアがアクティベートされる場合にＣＱＩおよびアクノレッジメントデータを送信するための制御チャネル構成のブロック図である。
【図１３】図１３は、２つのキャリアがアクティベートされる場合にアクノレッジメントデータを送信するための制御チャネル構成のブロック図である。
【図１４】図１４は、２つのキャリアがアクティベートされる場合にアクノレッジメントデータを送信するための制御チャネル構成のブロック図である。
【図１５】図１５は、２つのキャリアがアクティベートされる場合にアクノレッジメントデータを送信するための制御チャネル構成のブロック図である。
【図１６】図１６は、２つのキャリアがアクティベートされる場合にアクノレッジメントデータを送信するための制御チャネル構成のブロック図である。
【図１７】図１７は、２つのキャリアがアクティベートされる場合にＣＱＩおよびアクノレッジメントデータを送信するための制御チャネル構成のブロック図である。
【図１８】図１８は、２つのキャリアがアクティベートされる場合にＣＱＩおよびアクノレッジメントデータを送信するための制御チャネル構成のブロック図である。
【図１９】図１９は、２つのキャリアがアクティベートされる場合にＣＱＩおよびアクノレッジメントデータを送信するための制御チャネル構成のブロック図である。
【図２０】図２０は、ＣＱＩ伝送の実施を示すフローチャートである。
【図２１】図２１は、ＣＱＩ伝送の実施を示す代替的なフローチャートである。
【図２２】図２２は、ＣＱＩ伝送の実施を示すフローチャートである。
【発明を実施するための形態】
【００２０】
［発明の詳細な記載］
システム、方法、デバイス、およびコンピュータプログラム製品が、マルチキャリア無線通信システムにおけるダウンリンクチャネル品質情報の伝送に関して説明される。（本明細書において”ＣＱＩ”とも称されうる）チャネル品質情報は、多数のダウンリンクキャリアのために推定されうる。アップリンク制御チャネルは、アクティベートされたキャリアの数と、これらのキャリアがＭＩＭＯを用いて構成されているかどうかとに基づいて構成されうる。したがって、アップリンク制御チャネルのためのフレーム構造、符号化、およびマッピングは、アクティベートされたキャリアの数に基づいてフレキシブルでありうる。チャネル品質情報のためのフィードバック周期は一定のままでありうる。１つの実例において、チャネル品質情報は、単一のコードワードで１又は複数のキャリアのためにグループ化され、このコードワードは特定のインスタンスにおいて反復されうる。いくつかの実例において、コードワードは反復され、送信しているデバイスにおける電力消費が低減される。
【００２１】
この説明は実例を提供するものであり、本発明の範囲、適用性、あるいは構成を限定することは意図されていない。それよりもむしろ、以下の説明は、本発明の態様を実施可能にするための説明を当業者に対して提供するだろう。様々な変更が、本発明の精神および範囲から逸脱することなく要素の機能および配置においてなされうる。
【００２２】
したがって、様々な実施形態が、様々な手順あるいはコンポーネントを、必要に応じて省略、置換、あるいは追加しうる。例えば、方法が説明されるものとは異なる順序で実行されうることと、様々なステップが追加、省略、あるいは結合されうることが理解されるべきである。さらに、特定の実例に関して説明される特徴は、様々なその他の実例において結合されうる。
【００２３】
以下に記載されるシステム、方法、およびソフトウェアは、個々に又は集合的に、より大きなシステムのコンポーネントである可能性があり、ここにおいて、その他の手順が、これらのアプリケーションに優先しうるか、さもなければこれらのアプリケーションを変形しうるということも理解されるべきである。さらに、多数のステップが、以下に記載される実施形態の前か後に、あるいはそれらと同時に必要とされうる。
【００２４】
システム、方法、デバイス、およびコンピュータプログラム製品が、マルチキャリア無線通信システムにおけるダウンリンクチャネル品質情報の伝送に関して説明される。チャネル品質情報は、多数のダウンリンクキャリアのために推定されうる。アップリンク制御チャネルは、アクティベートされたキャリアの数に基づいて構成されうる。本明細書において説明される技術は、ＣＤＭＡ、ＴＤＭＡ、ＦＤＭＡ、ＯＦＤＭＡおよびその他のネットワークのような様々な無線通信システムに関して使用されうる。用語「システム」および「ネットワーク」は置換可能なように使用されることが多い。ＣＤＭＡシステムは、ＣＤＭＡ２０００、ユニバーサル地上ラジオアクセス（ＵＴＲＡ）などのようなラジオ技術を実施しうる。ＣＤＭＡ２０００は、ＩＳ−２０００規格、ＩＳ−９５規格、およびＩＳ−８５６規格をカバーする。ＩＳ−２０００リリース０およびＡは、一般的に、ＣＤＭＡ２０００ １Ｘや１Ｘなどと称される。ＩＳ−８５６（ＴＩＡ-８５６）は一般的に、ＣＤＭＡ２０００ １ｘＥＶ−ＤＯや、高速パケットデータ（ＨＲＰＤ）などと称される。ＵＴＲＡは、広帯域ＣＤＭＡ（ＷＣＤＭＡ）とＣＤＭＡのその他の変形とを含む。ＴＤＭＡシステムは、グローバルシステム・フォー・モバイルコミュニケーション（ＧＳＭ（登録商標））のようなラジオ技術を実現しうる。ＯＦＤＭＡシステムは、ウルトラモバイル・ブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡなどのようなラジオ技術を実現しうる。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称される団体からの文書内に説明されている。ＣＤＭＡ２０００およびＵＭＢは、「第３世代パートナーシッププロジェクト２」（３ＧＰＰ２）と称される団体からの文書内に説明されている。本明細書において説明される技術は、上述されたシステムおよびラジオ技術のみならず、その他のシステムおよびラジオ技術のために使用されうる。しかしながら、下記の説明は、実例を目的としてＬＴＥシステムを説明しており、ＬＴＥ用語が下記の説明の大部分において使用されているが、この技術はＬＴＥ適用の範囲を超えて適用可能である。
【００２５】
したがって、以下の説明は実例を提供するものであり、請求項において説明される範囲、適用性、あるいは構成を限定するものではない。本開示の精神および範囲から逸脱することなく、説明される要素の機能および配置において変更がなされうる。様々な実例が、様々な手順あるいはコンポーネントを、必要に応じて省略、置換、あるいは追加しうる。例えば、説明される方法は、説明されるものとは異なる順序で実行されることができ、様々なステップが追加、省略、あるいは結合されうる。さらに、特定の実例に関して説明される特徴は、その他の実例において結合されうる。
【００２６】
まず図１では、ブロック図が無線通信システム１００の実例を示している。ノードＢ１０５およびラジオネットワークコントローラ（ＲＮＣ）１２０は、ラジオネットワーク１００の一部である。ラジオネットワークは、ＵＭＴＳ地上ラジオアクセスネットワーク１３０（ＵＴＲＡＮ）でありうる。ＵＴＲＡＮ１３０は、ノードＢ１０５（すなわち基地局）と、ノードＢ１０５のための制御機器（すなわちＲＮＣ１２０）とに対する総称であり、ＵＭＴＳラジオアクセスネットワークを作り上げるものを含んでいる。これは、リアルタイム回路交換式のトラフィックタイプとＩＰベース・パケット交換式のトラフィックタイプとの両方ともを搬送しうる３Ｇ通信ネットワークである。ＵＴＲＡＮ１３０は、ユーザ機器（ＵＥ）１１５のためのインタフェースアクセス方法を提供する。ＵＴＲＡＮ１３０によって、ＵＥ１１５とコアネットワーク１２５との間に接続性が提供される。ラジオネットワーク１００は、データパケットを複数のＵＥ１１５にトランスポートしうる。
【００２７】
ＵＴＲＡＮ１３０は、Ｉｕ、Ｕｕ、Ｉｕｂ、Ｉｕｒという４つのインタフェースによって、その他の機能エンティティに内部的あるいは外部的に接続される。ＵＴＲＡＮ１３０はＩｕと称される外部インタフェースによってＧＳＭコアネットワーク１２５に取り付けられる。ＲＮＣ１２０はこのインタフェースをサポートする。それに加えて、ＲＮＣ１２０はＩｕｂとラベルされたインタフェースを介して、ノードＢと称される基地局のセットを管理する。Ｉｕｒインタフェースは、２つのＲＮＣ１２０−ａと１２０−ｂとを互いに接続する。ＵＴＲＡＮ１３０は、複数のＲＮＣ１２０がＩｕｒインタフェースによって相互接続されるので、コアネットワーク１２５から大部分が自立している。図１はＲＮＣ１２０と、ノードＢ１０５と、ＩｕおよびＵｕインタフェースとを使用する通信システムを開示している。Ｕｕはまた、外部的であり、ノードＢ１０５をＵＥ１１５と接続する。その一方で、ＩｕｂはＲＮＣ１２０をノードＢ１０５と接続する内部インタフェースである。
【００２８】
ラジオネットワーク１００はさらに、企業イントラネット、インターネット、あるいは上述された従来型の公衆交換電話ネットワークのようなラジオネットワーク１００の外側の追加的なネットワークに接続され、各ＵＥとそのような外側のネットワークとの間でデータパケットをトランスポートしうる。各ＵＥ１１５は多数のダウンリンクキャリアのためにチャネル品質情報を測定しうる。アップリンク制御チャネルは、アクティベートされたキャリアの数と、これらのキャリアがＭＩＭＯを用いて構成されているかどうかとに基づいて、ＵＥ１１５によって構成されうる。したがって、ＵＥ１１５は、アクティベートされたキャリアの数に基づいて、フレーム構成と、符号化と、マッピングとをフレキシブルに構成しうる。
【００２９】
図２は、本発明の態様が実施されうる通信ネットワーク２００の選択されたコンポーネントの実例を示す。通信ネットワーク２００は、ノードＢ１０５に結合されたＲＮＣ１２０を含む。この通信ネットワーク２００は、図１の無線通信システム１００の実例でありうる。ノードＢ１０５は、対応する無線接続２３５、２４０、２４５、２５０を介して、ＵＥ１１５と通信する。上述されたように、通信チャネルは、ノードＢ１０５からＵＥ１１５への伝送のためにフォワードリンク（別称ダウンリンク）２３５と、ＵＥ１１５からノードＢ１０５への伝送のためのリバースリンク（別称アップリンク）２４０とを含む。複数のダウンリンクキャリアが存在しうる。各ＵＥ１１５は、各ダウンリンクキャリアでチャネル品質を測定するか、さもなければ推定しうる。各ＵＥ１１５は、本明細書において説明されるやり方で、この推定されたチャネル品質情報をノードＢ１０５に送信しうる。
【００３０】
ＲＮＣ１２０は、１又は複数のノードＢ１０５のために制御機能を提供する。ＲＮＣ１２０は、モバイル交換センター（ＭＳＣ）２１０を介して公衆交換電話ネットワーク（ＰＳＴＮ）２０５に結合される。別の実例において、ＲＮＣ１２０は、パケットデータサーバノード（ＰＤＳＮ）（図示せず）を介してパケット交換ネットワーク（ＰＳＮ）（図示せず）に結合される。ＲＮＣ１２０およびパケットデータサーバノードのような様々なネットワーク要素間でのデータ交換が、例えば、インターネットプロトコル（ＩＰ）、非同期転送モード（ＡＴＭ）プロトコル、Ｔ１、Ｅ１、フレームリレー、あるいはその他のプロトコルのような、任意の数のプロトコルを使用して実施されうる。
【００３１】
各ＲＮＣ１２０は複数の役割を満たす。第１に、これは、新たなＵＥ１１５の承認、あるいはノードＢ１０５を使用しようとするサービスを制御しうる。第２に、ノードＢ１０５あるいは基地局の観点から、ＲＮＣ１２０は、制御している(controlling)ＲＮＣ１２０でありうる。承認を制御することは、ＵＥ１１５が、ラジオリソース（帯域幅および信号／雑音比）を、そのネットワークが有している利用可能なもの以下(up to)で、割り付けられることを確実にする。ＲＮＣ１２０は、ノードＢ１０５のＩｕｂインタフェースが終了するところである。ＵＥ１１５の観点から、ＲＮＣ１２０は、それがＵＥ１１５のリンクレイヤ通信を終了させるサービス提供ＲＮＣ１２０として動作する。コアネットワーク１２５の観点から、サービス提供ＲＮＣ１２０はＵＥ１１５のためのＩｕを終了させる。サービス提供ＲＮＣ１２０はまた、新たなＵＥ１１５の承認か、Ｉｕインタフェースによってコアネットワーク１２５を使用しようとするサービスを制御する。
【００３２】
エアインタフェースでは、ＵＭＴＳは、広帯域符号分割多元接続（すなわち、Ｗ−ＣＤＭＡ）として知られている広帯域拡散スペクトル・モバイルエアインタフェースを使用することが多い。Ｗ−ＣＤＭＡは、直接シーケンス符号分割多元接続シグナリング方法（すなわち、ＣＤＭＡ）を使用して、ユーザを分離する。Ｗ−ＣＤＭＡはモバイル通信のための第３世代規格である。Ｗ−ＣＤＭＡは、２世代規格であるＧＳＭ（グローバルシステム・フォー・モバイルコミュニケーション）／ＧＰＲＳから発展したものであり、これは、制限されたデータ性能での音声通信に向けられている。Ｗ−ＣＤＭＡの第１の商業的展開は、Ｗ−ＣＤＭＡリリース９９と称される規格のバージョンに基づく。
【００３３】
リリース９９明細書は、アップリンクパケットデータを可能にするための２つの技術を定義する。通常、データ伝送は、専用チャネル（ＤＣＨ）あるいはランダムアクセスチャネル（ＲＡＣＨ）のどちらかを使用してサポートされる。しかしながら、ＤＣＨは、パケットデータサービスのサポートのための一次チャネルである。各ＵＥ１１５は、直交可変拡散率（ＯＶＳＦ）符号を使用する。ＯＶＳＦ符号は、個々の通信チャネルを独自に識別することを容易にする直交符号である。それに加えて、マイクロダイバーシティが、ソフトハンドオーバを使用してサポートされ、閉ループ電力制御がＤＣＨで用いられる。
【００３４】
疑似ランダムノイズ（ＰＮ）シーケンスが、一般的に、送信されたパイロット信号を含む送信されたデータを拡散するためにＣＤＭＡシステムにおいて使用される。ＰＮシーケンスの単一値を送信するのに必要とされる時間はチップとして知られ、チップが変化するレートはチップレートとして知られる。受信機が、ＰＮシーケンスをノードＢ１０５のものに対してアライメントするということが、直接シーケンスＣＤＭＡシステムの設計に内在している。Ｗ−ＣＤＭＡ規格によって定義されるもののような、いくつかのシステムが、一次スクランブリング符号として知られる、各々のための独自のＰＮ符号を使用して、ノードＢ１０５を差別化する。Ｗ−ＣＤＭＡ規格は、ダウンリンクをスクランブリングするための２つのゴールド符号シーケンスを定義し、これらは、一方は同相コンポーネント（Ｉ）のためのものであり、他方は直交コンポーネント（Ｑ）のためのものである。ＩおよびＱ  ＰＮシーケンスは一緒に、データ変調なしでセルにわたってブロードキャストされる。このブロードキャストは、共通パイロットチャネル（ＣＰＩＣＨ）と称される。生成されたＰＮシーケンスは、３８４００チップの長さまで切り捨てられる。３８４００チップの期間はラジオフレームと称される。各ラジオフレームは、スロットと称される１５の均等なセクションに分けられる。Ｗ−ＣＤＭＡノードＢ１０５は、互いに関して非同期的に動作するので、１つのノードＢ１０５のフレームタイミングの知識が、その他任意のノードＢ１０５のフレームタイミングの知識に変わることはない。この知識を獲得するために、Ｗ−ＣＤＭＡシステムは、同期チャネルおよびセル探索技術を使用する。
【００３５】
３ＧＰＰリリース５およびそれ以降のものは、高速ダウンリンクパケットアクセス（ＨＳＤＰＡ）をサポートする。３ＧＰＰリリース６およびそれ以降のものは、高速アップリンクパケットアクセス（ＨＳＵＰＡ）をサポートする。ＨＳＤＰＡおよびＨＳＵＰＡは、それぞれダウンリンクおよびアップリンクでの高速パケットデータ伝送を可能にするチャネルのセットおよび手順である。リリース７ ＨＳＰＡ＋は、３つのエンハンスメントを使用して、データレートを改善する。第１に、これは、ＭＩＭＯに対するサポートをダウンリンクに導入した。第２に、より高次の変調がダウンリンクに導入された。第３に、より高次の変調がアップリンクに導入された。
【００３６】
ＨＳＵＰＡにおいて、ノードＢ１０５は、いくつかのＵＥ１１５が同時に特定の電力レベルで送信することを可能にする。これらの許可は、短期ベースで（数十ミリ秒毎に）リソースを割り当てる高速スケジューリングアルゴリズムを使用することによってユーザに割り当てられる。ＨＳＵＰＡの迅速なスケジューリングは、パケットデータのバーストな性質に適している。アクティビティが盛んな（high activity)期間中、ユーザは、より多くの割合の利用可能なリソースを確保しうるが、アクティビティが乏しい（low activity)期間中は、帯域幅をほとんどあるいは全く確保しない。
【００３７】
３ＧＰＰリリース５ＨＳＤＰＡにおいて、アクセスネットワークのノードＢ１０５は、高速ダウンリンク共有チャネル（ＨＳ−ＤＳＣＨ）でダウンリンクペイロードデータをＵＥ１１５に送り、高速共有制御チャネル（ＨＳ−ＳＣＣＨ）でダウンリンクに関連付けられた制御情報を送る。いくつかの実例において、データ伝送のために使用される２５６直交可変拡散率（ＯＶＳＦあるいはウォルシュ）符号が存在する。ＨＳＤＰＡシステムにおいて、これらの符号は、一般にセルラ電話通信（音声）のために使用されるリリース１９９９（レガシーシステム）符号と、データサービスのために使用されるＨＳＤＰＡ符号とに分割される。各送信時間間隔（ＴＴＩ）では、ＨＳＤＰＡ対応ＵＥ１１５に送られる専用制御情報は、符号空間内のどの符号がダウンリンクペイロードデータ（ラジオネットワークの制御データ以外のデータ）をデバイスに送るために使用されるかと、ダウンリンクペイロードデータの伝送のために使用されるだろう変調とをデバイスに対して示す。
【００３８】
ＨＳＤＰＡ動作では、ＵＥ１１５に対するダウンリンク伝送は、多数の利用可能なＨＳＤＰＡ ＯＶＳＦ符号を使用して、異なる伝送時間間隔のためにスケジューリングされうる。所与のＴＴＩでは、各ＵＥ１１５が、ＴＴＩの間にデバイスに割り付けられるダウンリンク帯域幅に依存して、１又は複数のＨＳＤＰＡ符号を使用している可能性がある。
【００３９】
ＭＩＭＯシステムにおいて、送信および受信アンテナからのＮ（送信機アンテナの数）×Ｍ（受信機アンテナの数）の信号経路が存在し、これらの経路上の信号は同一ではない。ＭＩＭＯは、複数のデータ伝送パイプを作成する。これらのパイプは、空間時間ドメインにおいて直交している。パイプの数は、システムのランクに等しい。これらのパイプは、空間時間ドメインにおいて直交しているので、互いに対して干渉をほとんど作成しない。データパイプは、Ｎ×Ｍ経路上の信号を適切に結合させることによって、適切なデジタル信号処理を用いて実現される。伝送パイプは、アンテナ伝送チェインにも、いずれの１つの特定の伝送経路にも対応しない。
【００４０】
通信システムは、単一のキャリア周波数あるいは複数のキャリア周波数を使用しうる。各リンクは、異なる数のキャリア周波数を組み込みうる。さらに、ＵＥ１１５は、例えば、光ファイバーあるいは同軸ケーブルを使用して、無線チャネルによって、あるいは有線チャネルによって通信する任意のデータデバイスでありうる。ＵＥ１１５は、ＰＣカードか、コンパクトフラッシュ（登録商標）か、外部あるいは内部モデムか、無線あるいは有線電話かを含むが、それらに限定はされない多数のタイプのデバイスのうちの任意のものでありうる。
【００４１】
１又は複数のノードＢ１０５とのアクティブなトラフィックチャネル接続を確立したＵＥ１１５は、アクティブなＵＥ１１５と称され、トラフィック状態にあるとされる。１又は複数のノードＢ１０５とのアクティブなトラフィックチャネル接続を確立する処理中であるＵＥ１１５は、接続セットアップ状態にあるとされる。ＵＥ１１５がノードＢ１０５に信号を送るための通信リンクはアップリンク２３５と称される。ノードＢ１０５がＵＥ１１５に信号を送るための通信リンクはダウンリンク２４０と称される。
【００４２】
図３は、本明細書において以下に詳細に記述され、実例を提供する。ここにおいて、ノードＢ１０５−ｄおよびＲＮＣ１２０−ｇがパケットネットワークインタフェース３３０と通信している。（図３において、簡略化のために、ノードＢ１０５のうちの１つのみと、１つのＲＮＣ１２０のみとが示される）。ノードＢ１０５−ｄおよびＲＮＣ１２０−ｇは、１又は複数のノードＢ１０５およびＲＮＣ１２０を囲む点線のように、図３に図示される（例えば、図１のＵＴＲＡＮ１３０のような）ラジオネットワーク１３０−ａの一部でありうる。関連付けられた量の送信されるデータは、ノードＢ１０５−ｄにおけるデータキュー３０５から取り出され、データキュー３０５に関連付けられたＵＥ１１５への伝送のためにチャネル要素３１０に提供される。
【００４３】
ＲＮＣ１２０−ｇは、モバイル交換センター２１０−ａを介して公衆交換電話ネットワーク（ＰＳＴＮ）２０５−ａとインタフェースする。さらに、ＲＮＣ１２０−ｇは、ラジオネットワーク１００においてノードＢ１０５とインタフェースする（簡略化のために、１つのノードＢ１０５のみが図３において図示されている）。それに加えて、ＲＮＣ１２０−ｇは、パケットネットワークインタフェース３３０とインタフェースする。ＲＮＣ１２０−ｇは、ラジオネットワーク１００におけるＵＥ１１５と、パケットネットワークインタフェース３３０およびＰＳＴＮ２０５−ａに接続されたその他のユーザとの間の通信を調整する。ＰＳＴＮ２０５−ａは、標準電話ネットワーク（図３に図示せず）によってユーザとインタフェースする。
【００４４】
ＲＮＣ１２０−ｇは多くのセレクタ要素３３５を含むが、簡略化のために、１つのみが図３において示されている。各セレクタ要素３３５は、１又は複数のノードＢ１０５と、１つのＵＥ１１５（図示せず）との間の通信を制御するように割り当てられる。セレクタ要素３３５が、所与のＵＥ１１５に割り当てられていない場合、呼制御プロセッサ３４０は、ＵＥ１１５をページすることに対する要望を知らされる。呼制御プロセッサ３４０は、ＵＥ１１５をページするようにノードＢ１０５−ｄに指示する。
【００４５】
データソース３４５は、所与のＵＥ１１５に送信される大量のデータを含む。データソース３４５はパケットネットワークインタフェース３３０にデータを提供する。パケットネットワークインタフェース３３０は、データを受信し、そのデータをセレクタ要素３３５にルーティングする。セレクタ要素３３５は、目標ＵＥ１１５と通信しているノードＢ１０５−ｄにデータを送信する。例示的な実施形態において、各ノードＢ１０５は、ＵＥ１１５に送信されるデータを記憶するデータキュー３０５を維持する。
【００４６】
各データパケットのために、チャネル要素３１０は制御フィールドを挿入する。チャネル要素３１０は、巡回冗長検査、すなわちＣＲＣと、データパケットおよび制御フィールドの符号化とを実行し、符号テールビットのセットを挿入する。データパケットと、制御フィールドと、ＣＲＣパリティビットと、符号テールビットとは、フォーマットされたパケットを備える。チャネル要素３１０は、フォーマットされたパケットを符号化し、符号化されたパケット内のシンボルをインタリーブする（すなわち、並べ換える）。インタリーブされたパケットは、ウォルシュ符号でカバーされ、短いＰＮＩおよびＰＮＱ符号で拡散される。拡散されたデータは、信号を直交変調、フィルタ、増幅するＲＦユニット３２０に提供される。ダウンリンク信号は、アンテナを介してオーバザエアでダウンリンクへ送信される。ノードＢ１０５−ｄのメモリ３５５は、ランダムアクセスメモリ（ＲＡＭ）および読取専用メモリ（ＲＯＭ）を含みうる。制御ユニット３５０は、例えば、インテルコーポレーションあるいはＡＭＤによって製造されたもののような、中央処理ユニット（ＣＰＵ）、マイクロコントローラ、特定用途向け集積回路（ＡＳＩＣ）などのようなインテリジェントハードウェアデバイスでありうる。ノードＢ１０５−ｄは、実行されると、本明細書において説明されるノードＢの機能を制御ユニット３５０に実行させるように構成された命令群を含むコンピュータ可読かつコンピュータ実行可能なソフトウェアコード３１５を、例えば、メモリ３５５に記憶しうる。
【００４７】
ＵＥ１１５において、ダウンリンク信号は、アンテナによって受信され、受信器にルーティングされる。受信機は信号を、フィルタ、増幅、直交復調、および量子化する。デジタル化された信号は、復調器（ＤＥＭＯＤ）に提供される。ここで、デジタル化された信号は、短いＰＮＩおよびＰＮＱ符号で逆拡散され、ウォルシュ符号でデカバーされる。復調されたデータは、ノードＢ１０５−ｄにおいてなされる信号処理機能の逆のもの、具体的には、デインタリーブと、復号と、ＣＲＣ検査機能を実行する復号器に提供される。復号されたデータはデータシンクに提供される。
【００４８】
図４は、ユーザ機器（ＵＥ）１１５−ｆが（ＰＡ４１０を含む）送信回路４０５と、受信回路４１５と、電力コントローラ４２０と、復号プロセッサ４２５と、信号を処理する際に使用するための処理ユニット４３０と、メモリ４３５と、１又は複数のアンテナとを含むＵＥ１１５−ｆの実例を示すブロック図４００である。送信回路４０５および受信回路４１５は、ＵＥ１１５−ｆおよびリモートロケーション間の、オーディオ通信のようなデータの伝送および受取を可能にしうる。送信回路４０５および受信回路４１５は、（複数の）アンテナ４４５に結合される。
【００４９】
処理ユニット４３０は、ＵＥ１１５−ｆの動作を制御する。処理ユニット４３０はまた、ＣＰＵとも称されうる。処理ユニット４３０は、多数のダウンリンクキャリアのためにチャネル品質情報を測定しうる。処理ユニット４３０は、アクティベートされたキャリアの数と、これらのキャリアがＭＩＭＯを用いて構成されているかどうかとに基づいて、アップリンク制御チャネルを構成しうる。したがって、処理ユニット４３０は、アクティベートされたキャリアの数に基づいて、フレーム構成と、符号化と、マッピングとをフレキシブルに構成しうる。読取専用メモリ（ＲＯＭ）およびランダムアクセスメモリ（ＲＡＭ）の両方ともを含みうるメモリ４３５は、命令群およびデータを処理ユニット４３０に提供する。メモリ４３５の一部はまた、非不揮発性ランダムアクセスメモリ（ＮＶＲＡＭ）を含みうる。
【００５０】
ＵＥ１１５の様々なコンポーネントは、データバスに加えて、電力バスと、制御信号バスと、状態信号バスとを含みうるバスシステム４５０によって一緒に結合される。明確化のために、様々なバスが、図４においてバスシステム４５０として示されている。
【００５１】
説明される方法のステップはまた、ノードＢ１０５におけるメモリ４３５内に位置するソフトウェアあるいはファームウェア４４０の形態で、命令群として記憶されうる。これらの命令群は、図３におけるノードＢ１０５の制御ユニット３５０によって実行されうる。代替的に、あるいはそれと併せて、説明される方法のステップは、ＵＥ１１５におけるメモリ４３５内に位置するソフトウェアあるいはファームウェア４４０の形態で、命令群として記憶されうる。これらの命令群は、図４におけるＵＥ１０５の処理ユニット４３０によって実行されうる。
【００５２】
図５は、ＵＥ１１５からの伝送のための例示的な機能ブロックフロー図５００を示す。データソース５０５は、データｄ（ｔ）５０６をＦＱＩ／符号化器５１０に提供する。ＦＱＩ／符号化器５１０は、巡回冗長検査（ＣＲＣ）のようなフレーム品質インジケータ（ＦＱＩ）をデータｄ（ｔ）５０６に加えうる。ＦＱＩ／符号化器５１０はさらに、１又は複数の符号化スキームを使用してデータおよびＦＱＩを符号化して、符号化されたシンボル５１１を提供しうる。各符号化スキームは、例えば、畳み込み符号化、ターボ符号化、ブロック符号化、反復符号化、その他任意のタイプの符号化のような１又は複数のタイプの符号化を含みうる、あるいは符号化を一切含まない可能性がある。その他の符号化スキームは、自動再送要求（ＡＲＱ）と、ハイブリッドＡＲＱ（Ｈ−ＡＲＱ）と、増分冗長反復技術とを含みうる。異なるタイプのデータが、異なる符号化スキームを用いて符号化されうる。ＦＱＩ／符号化器５１０は、１つの実例において、アクティベートされたキャリアの数に基づいて、フレーム構成と、符号化と、マッピングとをフレキシブルに構成しうる。
【００５３】
インターリーバ５１５は、符号化されたデータシンボル５１１を時間内にインタリーブしてフェージングに対処し、シンボル５１６を生成する。信号のインタリーブされたシンボル５１６は、フレームフォーマットブロック５２０によって、予め定義されたフレームフォーマットにマッピングされ、フレーム５２１が発生しうる。フレームフォーマットは、複数のサブセグメントから成るフレームを特定しうる。サブセグメントは、例えば、時間、周波数、符号、あるいはその他任意の側面のような所与の側面にしたがう、フレームの任意の連続する部分でありうる。フレームは、固定された(fixed）複数のこのようなサブセグメントから成り、各サブセグメントは、フレームに割り付けられたシンボルの総数の一部を含む。例えば、Ｗ−ＣＤＭＡ規格にしたがって、サブセグメントはスロットとして定義されうる。ｃｄｍａ２０００規格にしたがって、サブセグメントは、電力制御グループ（ＰＣＧ）として定義されうる。１つの実例において、インタリーブされたシンボル５１６は、フレーム５２１を作り上げる複数Ｓ個のサブセグメントにセグメント化される。
【００５４】
フレームフォーマットはさらに、インタリーブされたシンボル５１６に加えて、例えば、制御シンボル（図示せず）の含有を特定しうる。このような制御シンボルは、例えば、電力制御シンボルやフレームフォーマット情報シンボルなどを含みうる。
【００５５】
変調器５２５は、フレーム５２１を変調して、変調されたデータ５２６を生成する。変調技術の実例は、２相位相変調（ＢＰＳＫ）と、４相位相変調（ＱＰＳＫ）とを含む。変調器５２５はまた、変調されたデータのシーケンスを反復しうる。
【００５６】
ベースバンド／ラジオ周波数（ＲＦ）変換ブロック５３０は、１又は複数のノードＢ１０５への無線通信リンクによる１又は複数のアンテナ５３５を介した伝送のために、変調された信号５２６を信号５３６としてＲＦ信号に変換しうる。
【００５７】
次に図６では、ブロック図がモバイル端末１１５−ｇの実例を示す。これは、アップリンク制御チャネルをフレキシブルに構成するように適合されうる。このモバイル端末１１５−ｇは、図１、図２、あるいは図４に関連して説明され、図１のシステム１００、あるいは図２のシステム２００において実施されるＵＥ１１５でありうる。
【００５８】
モバイル端末１１５−ｇは、１又は複数のアンテナ６０５と、受信機モジュール６１０と、キャリア検出モジュール６１５と、ＣＱＩ測定モジュール６２０と、フィードバック符号化器モジュール６２５と、送信機モジュール６３０とを含み、これらは各々、互いと通信している可能性がある。これらのモジュールは、個々に又は集合的に、ハードウェアにおいて適用可能な機能のいくつかあるいはすべてを実行するように適合された１又は複数の特定用途向け集積回路（ＡＳＩＣ）を用いて実施されうる。代替的に、これらの機能は、１又は複数の集積回路で、１又は複数のその他の処理ユニット（あるいはコア）によって実行されうる。その他の実例において、その他のタイプの集積回路（例えば、構造化（structured）／プラットフォームＡＳＩＣ、フィールドプログラマブルゲートアレイ（ＦＰＧＡ）、およびその他の半カスタムＩＣ）が使用されうる。これらは、当該技術分野において周知の任意のやり方でプログラムされうる。各ユニットの機能はまた、全体的にあるいは部分的に、メモリ内に統合される命令群で実施され、１又は複数の汎用あるいは特定用途向けのプロセッサによって実行されるようにフォーマットされうる。
【００５９】
受信機モジュール６１０は、１又は複数のアンテナ６０５によって、（例えば、図１、図２、あるいは図３のノードＢ１０５から送信されるような）無線信号を受信しうる。これらの無線信号は、高速ダウンリンク共有チャネル（ＨＳ−ＤＳＣＨ）におけるペイロードデータおよび／あるいは高速共有制御チャネル（ＨＳ−ＳＣＣＨ）におけるダウンリンクデータに関連付けられた制御情報でありうる。キャリア検出モジュール６１５は、アクティベートされたキャリアの数を識別し、さらに、アクティベートされたキャリアの数がいつ変化したかを識別しうる。
【００６０】
ＣＱＩ測定モジュール６２０は、識別されたダウンリンクキャリアの各々のためにチャネル品質情報を推定しうる。フィードバック符号化器モジュール６２５は、その他のファクタのうちの、アクティベートされたダウンリンクキャリアの数に基づいて、アップリンク制御チャネルを構成および／あるいは変形するように適合される。したがって、アップリンク制御チャネルの構成は、アクティベートされたキャリアの数に基づいてフレキシブルに適合されうる。フィードバック符号化器モジュール６２５は、アップリンクでの伝送のためにダウンリンクチャネル品質情報およびアクノレッジメント情報を符号化しうる。送信機モジュール６３０は、（例えば、図１、図２、あるいは図３のノードＢに情報を送信することのように）各キャリアについてのダウンリンクチャネル品質情報とアクノレッジメント情報とを送信しうる。
【００６１】
このフレキシブルな構成は、様々な形態をとりうる。例えば、以下により詳細にわたって記述されるように、フィードバック符号化器モジュール６２５は、特定の数のキャリアがアクティブである場合にコードワードを反復し、その他の数のキャリアがアクティブである場合は異なるコードワードを送信しうる。１つの実例において、コードワードは、特定の数のアクティベートされたキャリアが存在する場合に、送信タイミング間隔の１又は複数のスロットにおいて反復され、より大きな数のアクティベートされたキャリアが存在する場合は、異なるコードワードが、送信タイミング間隔の１又は複数のスロットのために使用される。フィードバック符号化器モジュール６２５は、コードワードが反復される場合に、モバイルデバイスにおいて送信電力を低減しうる。いくつかの態様はフレキシブルであるが、フィードバック符号化器モジュール６２５は、異なる数のキャリアがアクティベートされる場合に一定のフィードバック周期を維持しうる。
【００６２】
チャネル品質情報およびアクノレッジメント情報の両方ともに関連して、フレキシブルなやり方で反復を使用する多数の実例が存在する。（例えば、４つのキャリアのうちの２つがアクティベートされていると仮定するような）いくつかの実例において、フィードバック符号化器モジュール６２５は、単一のコードワードでキャリアのためのチャネル品質情報をグループ化し、送信タイミング間隔の２つの連続するスロットにおいてコードワードを反復しうる。追加的なアクティベートされたキャリアが存在する場合（例えば、４つ全てのキャリアがアクティベートされている場合）、フィードバック符号化器モジュール６２５は、コードワードで第１のキャリアのためのチャネル品質情報を符号化すること、および異なるコードワードで第２のキャリアのためのチャネル品質情報を符号化することを実行し、送信タイミング間隔の２つの連続するスロット内での伝送のためのこれらのコードワードをグループ化しうる。
【００６３】
（例えば、４つのキャリアのうちの４つがアクティベートされていると仮定するような）実例の別のセットにおいて、フィードバック符号化器モジュール６２５は、第１のコードワードを使用して第１のキャリアおよび第２のキャリアのためのアクノレッジメント情報を符号化し、第２のコードワードを使用して第３のキャリアおよび第４のキャリアのためのアクノレッジメント情報を符号化しうる。フィードバック符号化器モジュール６２５は、送信タイミング間隔のスロット内での伝送のための第１のコードワードおよび第２のコードワードをグループ化しうる。（例えば、４つのキャリアのうちの２つがアクティベートされているような）アクティベートされたキャリアがより少ない場合、フィードバック符号化器モジュール６２５は、異なるコードワードを使用して２つのキャリアのためのアクノレッジメント情報を符号化し、送信タイミング間隔のスロット内でコードワードを反復しうる。さらに別の実例において、（例えば、４つのキャリアのうちの３つがアクティベートされている場合のように）３つのアクティベートされたキャリアが存在し、フィードバック符号化器モジュール６２５は、コードワードを使用して第１のキャリアおよび第２のキャリアのためのアクノレッジメント情報を符号化することと、第２のコードワードを使用して第３のキャリアのためのアクノレッジメント情報を符号化することとを実行し、送信タイミング間隔のスロット内の伝送のためのこれらのコードワードをグループ化しうる（例えば、各コードワードは半スロットを使用する）。
【００６４】
フィードバック符号化器６２５モジュールは、１又は複数のアクティベートされたキャリアがＭＩＭＯを用いて構成されているかどうかに基づいて、アップリンク制御チャネルを変形しうる。例えば、フィードバック符号化器モジュール６２５は、アクティベートされたキャリアがＭＩＭＯを用いて構成されているかどうかに依存して、異なるコードワードを使用しうる。フィードバック符号化器モジュール６２５はまた、アクティベートされたキャリアの数に依存して、送信タイミング間隔の所与の部分のために異なる拡散率を使用しうる。チャネル品質情報あるいはアクノレッジメント情報のために使用される拡散率は、１つの実例において、アクティベートされたキャリアの数に依存して、１２８あるいは２５６でありうる。フィードバック符号化器モジュール６２５はまた、アクティベートされたキャリアの数に依存して、送信タイミング間隔の異なる部分にキャリアをマッピングしうる。このマッピングフレキシビリティは、チャネル品質情報スロットあるいはアクノレッジメント情報スロットに関連しうる。
【００６５】
別の実例では、フィードバック符号化器モジュール６２５は、キャリアがデアクティベートされているときでも、論理シーケンシャル順序付けを維持しうる。４つのアクティベートされたキャリアが存在すると仮定すると、これらの４つのキャリアは論理シーケンシャル順序に関連付けられる。１又は複数のキャリアがデアクティベートされている場合、残りのアクティブなキャリアの論理シーケンシャル順序は、アップリンク制御チャネルにおいて保存されうる。
【００６６】
別の実例において、ＣＱＩ測定モジュール６２０は、追加的なキャリアのアクティベーションを識別するように構成され、フィードバック符号化器モジュール６２５は、追加的なキャリアのアクティベーションに応答して、アップリンク制御チャネルの構成を変形するように構成される。
【００６７】
次に図７では、ブロック図７００は、例えば、図６のモバイル端末１１５−ｇにおいて実施されうる符号化器モジュール６２５−ａの実例を示す。この符号化器モジュール６２５−ａはまた、図１、図２、あるいは図４に関連して説明され、図１のシステム１００、あるいは図２のシステム２００において実施されるＵＥ１１５において実施されうる。
【００６８】
符号化器モジュール６２５−ａは、ＡＣＫ／ＮＡＣＫコードブック選択モジュール７０５と、ＣＱＩコードワード選択モジュール７１０と、マッパモジュール７１５と、符号化器７２０とを含む。符号化器モジュール６２５−ａは、アクティベートされたキャリアの数の識別を、各キャリアのためのダウンリンクチャネル品質情報およびアクノレッジメント情報と共に受信しうる。
【００６９】
ＡＣＫ／ＮＡＣＫコードブック選択モジュール７０５は、アクティベートされたキャリアの数の識別を、アクノレッジメント情報と共に受信しうる。キャリアの数と、おそらく（例えば、各キャリアがＭＩＭＯを用いて構成されているかどうかのような）その他のファクタとに基づいて、ＡＣＫ／ＮＡＣＫコードブック選択モジュール７０５は、アクノレッジメントのために使用する符号化スキーム（例えば、どのコードブックおよび拡散率か）を選択しうる。符号化スキームと、符号反復と、拡散率と、電力使用とは、アクティベートされたキャリアの数に依存して様々でありうる。
【００７０】
ＣＱＩコードワード選択モジュール７１０は、アクティベートされたキャリアの数の識別を、各キャリアのためのダウンリンクチャネル品質情報と共に受信しうる。キャリアの数と、おそらく（例えば、各キャリアがＭＩＭＯを用いて構成されているかどうかのような）その他のファクタとに基づいて、ＣＱＩコードワード選択モジュール７１０は、アップリンクでのＣＱＩ伝送のために使用する符号化スキーム（例えば、どのコードワードおよび拡散率か）を選択しうる。符号化スキームと、符号反復と、拡散率と、電力使用とは、アクティベートされたキャリアの数に依存して様々でありうる。
【００７１】
マッパモジュール７１５は、アクティベートされたキャリアの数に依存して、各キャリアのためのダウンリンクチャネル品質情報とアクノレッジメント情報とを異なる複数のスロットにマッピングしうる。いくつかのインスタンスにおいて、残りのアクティブなキャリアの論理シーケンシャル順序は、キャリアがデアクティベートされる場合に、アップリンク制御チャネルにおいて保存されうる。符号化器７２０は、ＡＣＫ／ＮＡＣＫコードブック選択モジュール７０５と、ＣＱＩコードワード選択モジュール７１０と、マッパモジュール７１５とによる選択にしたがって、送信されるデータを符号化しうる。
【００７２】
上述されたように、ＨＳＤＰＡは、改良型３Ｇモバイル電話通信プロトコルである。これによって、ＵＭＴＳに基づくネットワークは、より優れたデータ転送速度および容量を有することが可能である。ＨＳＤＰＡは、複数のダウンリンクキャリアをサポートしうる。４キャリアＨＳＤＰＡとして知られているバージョンにおいて、ＵＥによって送信されるアップリンク制御チャネルは、４つまでのダウンリンクキャリアのためのＡＣＫ／ＮＡＣＫあるいはＣＱＩ情報のようなフィードバック情報を含むことを必要とされうる。各ダウンリンクキャリアは、多入力多出力（ＭＩＭＯ）キャリアあるいは非ＭＩＭＯキャリアとして構成されうる。このようなフィードバック情報を送信するために、ＨＳ−ＤＰＣＣＨチャネルのシンボルは、１２８の拡散率を使用して拡散されうる。このケースにおいて、Ｒｅｌ−９までのＷ−ＣＤＭＡ規格のリリースにおけるように、２５６の拡散率が使用される場合の１０コードシンボルとは対照的に、２０コードシンボルが、フィードバック情報を搬送するためにスロット毎に利用可能である。
【００７３】
４Ｃ−ＨＳＤＰＡにおけるフィードバック情報の伝送では、既存のＷ−ＣＤＭＡ規格において現在見られるＳＣ−あるいはＤＣ−ＨＳＤＰＡ（すなわち、単一キャリアあるいはデュアルキャリア非ＭＩＭＯ）およびＳＣ−あるいはＤＣ−ＭＩＭＯ（すなわち、単一キャリアあるいはデュアルキャリアＭＩＭＯ）のためのコードブックが、有利に再利用されうる。
【００７４】
以下の実例において、チャネル品質情報およびアクノレッジメント情報のアップリンク伝送に関するフレキシビリティが例示されている。この実例において、４つまでのダウンリンクキャリアがアクティベートされうる。しかしながら、当業者に対して明白であるように、より多くのあるいはより少ないキャリアが他の実例において存在しうる。
【００７５】
ＨＳＤＰＡでは、ＨＳ−ＤＰＣＣＨは、アクノレッジメント情報と、ユーザの現在のチャネル品質インジケータとを搬送する。これは、どのくらいのデータを次の伝送でＵＥに送るかを計算するためにノードＢによって使用されうる。以下の実例において、ＨＳＤＰＡシステムは、（例えば、ＵＥ１１５がＨＳ−ＤＰＣＣＨチャネルでノードＢ１０５に対して送信する、図１のシステム１００あるいは図２のシステム２００のような）実例を目的として使用される。しかしながら、これは、実例のみを目的とするものであって、新規の態様が、多数の異なるシステムにおいて実施されうる。
【００７６】
以下の様々な実例において、同時にアクティベートされる２、３、あるいは４つのダウンリンクキャリアが存在しうる。これらのキャリアのうちのすべて又はいくつかがＭＩＭＯを用いて構成されていることもあれば、それらのうちのいずれもＭＩＭＯを用いて構成されていないこともある。アップリンク制御チャネルの構成は、アクティベートされたキャリアの数と、それらのキャリアのうちのＭＩＭＯを用いて構成されているキャリアの数とに依存して様々でありうる。様々な拡散率（例えば、１２８あるいは２５６）が使用されうる。１つの実例において、構成（２、３、あるいは４つのキャリアが各々、ＭＩＭＯを用いているか、用いていないか）にかかわりなく、フィードバック周期は一定のままである。フィードバック周期は、キャリアのためのＣＱＩの各伝送間のＴＴＩの数を識別する。（例えば、特定のキャリアのための情報を反復することや、特定のキャリアのための情報を結合することによって）省電力をもたらしうる様々な技術が説明される。
【００７７】
下記のシナリオは、異なる数のキャリアがアクティベートされる場合の、チャネル品質情報および／あるいはアクノレッジメント情報のためのＨＳ−ＤＰＣＣＨ構成を例示する。下記の実例は、アクティベートされたキャリアが４つまで存在することを仮定しているが、別の実例においては他の数のキャリアが存在しうる。いくつかの実例において、フィードバック周期は２であるが、フィードバック周期がその他の実例において異なるということを重要視することに価値がある（worth）。
【００７８】
図８では、４つのダウンリンクキャリアすべてが、アクティベートされ、ＭＩＭＯを用いて構成されている（Ｃ１、Ｃ２、Ｃ３、およびＣ４で表される）設計を考慮している。プリコーディング制御インジケーション（ＰＣＩ）およびＣＱＩデータが各キャリアのためにレポートされ、１２８の拡散率が使用される。図８は、２つのＴＴＩの実例的な構成８００を例示する。このシナリオにおいて、ＣＱＩフィードバック８０５は、各キャリアのためにＴＤＭ形式で送信される。キャリアのすべてが、ＭＩＭＯを用いて構成され、ＣＱＩ符号化スキームは、（この実例におけるＳＣ−ＭＩＭＯ ＣＱＩコードブックを使用して）単一キャリアＣＱＩ（２０、１０）符号を使用する。この構成におけるフィードバック周期は２である（これは、１つのＴＴＩが２ミリ秒持続時間であるので、４ミリ秒でありうる）。キャリアに属するＰＣＩおよびＣＱＩデータは、同じＣＱＩコードワードで送られ、そのキャリアに対応する（Ｃ１のためのコードワード８０５−ａ、Ｃ２のためのコードワード８０５−ｂ、Ｃ３のためのコードワード８０５−ｃ、Ｃ４のためのコードワード８０５−ｄ）。
【００７９】
この実例において、Ｃ１およびＣ２のためのＣＱＩコードワードが、第１のＴＴＩ ８１０−ａにおける連続する転送のためにグループ化され、Ｃ３およびＣ４のためのコードワードがＴＴＩ ８１０−ｂにおける連続する転送のためにグループ化されるとき(as）、ＴＴＩ内にはＣＱＩデータのための反復は存在しない。この実例では、所与のＴＴＩにおいてＡＣＫ／ＮＡＣＫ情報のための反復は存在せず、ＤＣ−ＭＩＭＯコードブックが使用されうる。Ｃ１およびＣ２のためのアクノレッジメント情報は結合され、第１のＴＴＩ ８１５−ａにおける半スロットにおいて、ＡＣＫ／ＮＡＣＫコードワードで連帯的に（jointly）符号化され、Ｃ３およびＣ４のためのアクノレッジメント情報は結合され、第１のＴＴＩ ８１５−ａにおける連続する転送のために第２の半スロットにおいてＡＣＫ／ＮＡＣＫコードワードで連帯的に符号化される。これらのコードブックの使用は、次のＴＴＩ ８１５−ｂにおいて反復されうる。
【００８０】
４つのダウンリンクキャリア全てがアクティベートされているシナリオでは、それらのうちのいずれもＭＩＭＯを用いて構成されていない。ＰＣＩおよびＣＱＩ情報が、各キャリアのためにレポートされる。下記に説明される２つの異なる実例的なスキームが存在し、どちらかが使用されうる。
【００８１】
図９は、（Ｃ１、Ｃ２、Ｃ３、およびＣ４で表される）４つのキャリアのための２つのＴＴＩの実例的な構成９００を例示する。このシナリオにおいて、ＣＱＩフィードバック９０５は、各キャリアのためにＴＤＭ形式で送信される。ＣＱＩ符号化スキームは、単一チャネルＣＱＩ（２０、１０）符号（ＳＣ−ＨＳＤＰＡ）を使用する。この構成におけるフィードバック周期は２のままである（これは、４ミリ秒でありうる）。キャリアに属するＰＣＩおよびＣＱＩ情報は、同じＣＱＩコードワードで送られ、そのキャリアに対応する（Ｃ１のためのコードワード９０５−ａ、Ｃ２のためのコードワード９０５−ｂ、Ｃ３のためのコードワード９０５−ｃ、Ｃ４のためのコードワード９０５−ｄ）。
【００８２】
この実例では、所与のＴＴＩにおいてＡＣＫ／ＮＡＣＫ情報のための反復は存在せず、ＤＣ−ＨＳＤＰＡ ＡＣＫ／ＮＡＣＫコードブックが図示されているが、（例えば、ＤＣ−ＭＩＭＯ ＡＣＫ／ＮＡＣＫコードブックのような）その他のコードブックが使用されうる。Ｃ１およびＣ２のためのアクノレッジメント情報は結合され、第１のＴＴＩ ９１０−ａの半スロットにおいてＡＣＫ／ＮＡＣＫコードワードで連帯的に符号化され、Ｃ３およびＣ４のためのアクノレッジメント情報は結合され、第１のＴＴＩ ９１０−ａにおける連続する転送のために第２の半スロットにおいてＡＣＫ／ＮＡＣＫコードワードで連帯的に符号化される。これらのコードブックの使用は、次のＴＴＩ ９１０−ｂにおいて反復されうる。
【００８３】
図１０は、（Ｃ１、Ｃ２、Ｃ３、およびＣ４で表される）４つのキャリアのための２つのＴＴＩの実例的な構成１０００を例示する。このスキームにおいて、ＣＱＩ構成は、キャリアＣ１およびＣ２をグループ化することと、単一のコードワード１００５−ａでＣＱＩ情報を連帯的に符号化することとに基づく、なお、これは反復される。伝送電力は、コードワードが反復される場合に低減されうる。同様に、キャリアＣ３およびＣ４は、一緒にグループ化され、単一のコードワード１００５−ｂで連帯的に符号化される、なお、これは反復される。留意されるように、キャリアＣ１およびＣ２のためのＣＱＩは、利用可能なスロットの両方ともをカバーするように反復され、Ｃ３およびＣ４のためのＣＱＩもまた反復される。このスキームは、反復によるリンク効率利得に至るまで（up to)を可能にしうる。ＨＳＤＰＡ ＣＱＩ符号化のケースにおいて使用されるベータ因子（factor）は２ｄＢぶん高いが、反復による利得とは、図９におけるＣＱＩデータをレポートすることと比べて、＋／−１ｄＢの利得が取得されうることを意味している。
【００８４】
このスキームは、図９と比べてリンク効率を高めるが、ＭＩＭＯおよび非ＭＩＭＯキャリアの各組み合わせから異なるＣＱＩ構成が潜在的に生じうるので、より複雑でありうる。結果として、ＣＱＩ構成は、１又は複数のキャリアがアクティベートあるいはデアクティベートされる場合に変化するだろう。この設計原理は、「フレキシブルマッピング」アプローチである。異なるトレードオフが用いられうる。例えば、異なる数のアクティベートされているキャリアが存在する場合、ＭＩＭＯが使用されているかどうかを考慮して、異なるコードブックと、拡散率と、反復と、マッピングと、結合符号化（joint encoding)とが使用されうる。これらの技術を使用して、一定のフィードバック周期が、いくつかの実例において維持され、ＵＥにおける省電力がもたらされうる。
【００８５】
図１１では、３つのキャリアがアクティベートされ、１つがＭＩＭＯを用いて構成される（Ｃ１、Ｃ２、およびＣ３（ＭＩＭＯ）で表される）。プリコーディング制御インジケーション（ＰＣＩ）およびＣＱＩ情報が、Ｃ１およびＣ２のためにレポートされ、コードワード１１０５−ａで連帯的に符号化され、反復される、また、Ｃ３のみのためにレポートされ、コードワード１１０５−ｂで符号化され、反復される。図１１は先と同様に、２つのＴＴＩの実例的な構成１１００を例示する。この構成におけるフィードバック周期は２のままである（これは、４ミリ秒でありうる）。構成は、マッピングのようにフレキシブルであり、使用される符号化スキームは、アクティベートされたキャリアの数に基づいて様々である。ＭＩＭＯ ＣＱＩが反復され、その間に、１つのコードワードへと符号化された２つのキャリアチャネル品質情報もまた反復される。
【００８６】
この実例において、所与のＴＴＩにおけるＡＣＫ／ＮＡＣＫ情報のための反復が存在しない場合の、ＤＣ−ＨＳＤＰＡおよびＤＣ−ＭＩＭＯコードブックの使用が図示される。その他の実施形態においては、ＤＣ−ＭＩＭＯコードブックのみが、ＡＣＫ／ＮＡＣＫ情報のために使用される。Ｃ１およびＣ２のためのアクノレッジメント情報は結合され、第１のＴＴＩ１ １１０−ａにおける半スロットにおいて（ＤＣ−ＨＳＤＰＡコードブックを使用して）ＡＣＫ／ＮＡＣＫコードワードで連帯的に符号化され、Ｃ３のためのアクノレッジメント情報は、第１のＴＴＩ １１１０−ａにおける連続する転送のために第２の半スロットにおいて（ＤＣ−ＭＩＭＯコードブックを使用して）ＡＣＫ／ＮＡＣＫコードワードで符号化される。これらのコードブックの使用は、次のＴＴＩ １１１０−ｂにおいて反復されうる。
【００８７】
図１２では、２つのダウンリンクキャリアがアクティベートされ、ＭＩＭＯを用いて構成される（Ｃ１およびＣ２で表される）。ＰＣＩおよびＣＱＩ情報が、各キャリアのためにレポートされる。図１２は、２つのＴＴＩの実例的な構成１２００を例示し、２５６の拡散率が使用される。このシナリオにおいて、ＣＱＩフィードバック１２０５は、各キャリアのためにＴＤＭ形式で送信される。この構成におけるフィードバック周期は２のままである（これは、４ミリ秒でありうる）。キャリアに属するＰＣＩおよびＣＱＩ情報は、同じＣＱＩコードワードで送られ、そのキャリアに対応する（Ｃ１のためのコードワード１２０５−ａ、Ｃ２のためのコードワード１２０５−ｂ）。
【００８８】
より高い拡散率を使用することの代わりに、あるいはそれに加えて、ＣＱＩデータおよびアクノレッジメント情報が反復されうる。これは、そうすることにより、ＵＥにおける省電力をもたらしうる。デュアルキャリアコードブックのためのＣＱＩデータが反復されうる、および／あるいは、単一キャリアコードブックのためのＣＱＩデータが反復されうる（例えば、図１１を参照）。このＣＱＩ反復は、ＭＩＭＯあるいは非ＭＩＭＯキャリアのためでありうる。
【００８９】
図８乃至図１２は、したがって、異なるコードブックと、拡散率と、反復と、ＣＱＩデータの結合符号化と、アクノレッジメント情報とが、一定のフィードバック周期を維持するために、および／あるいは電力消費を低減するためにどのように使用されうるかの実例を例示する。前述の実例は、ＣＱＩ伝送におけるリンク効率あるいは伝送のための電力を改善するために、反復を用いる又は用いないキャリアのＣＱＩ情報のフレキシブルなマッピングを例示する。
【００９０】
図１３−１６では、２つのダウンリンクキャリアがアクティベートされている場合に、アクノレッジメント情報がＴＴＩのスロットにおいてどのように送られうるかを例示する一連の実例が図示されている。下記に説明される４つの異なるオプションが存在し、いずれかが使用されうる。
【００９１】
これらの実例において、ダウンリンクキャリアのためのアクノレッジメント（ＡＣＫ／ＮＡＫ）チャネルはＤＰＣＣＨの単一スロットにおいて順応しうる（be accommodated)。図１３では、ブロック図１３００は、ＳＦ１２８を使用する第１のオプションを例示する。ここで、Ｃ１およびＣ２のためのアクノレッジメント情報は結合され、第１の１０コードシンボルにおけるキャリア１および２のための第１のＴＴＩ １３０５−ａにおける半スロットにおいて、（ＤＣ−ＨＳＤＰＡコードブックを使用して）ＡＣＫ／ＮＡＣＫコードワードで連帯的に符号化され、さらに、第２の１０コードシンボルにおいて、第２の半スロットにおいて反復される。各半スロットにおいて使用されるコードブックは、フルスロットにおいてＤＣ−ＨＳＤＰＡのために、Ｒｅｌ−８において使用されるコードブックと同じものでありうる。その他のコードブックが使用されうる（例えば、ＤＣ−ＭＩＭＯ ＡＣＫ／ＮＡＣＫコードブックが使用されうる）。
【００９２】
図１４では、ブロック図１４００は、ＳＦ１２８を使用する第２のオプションを例示する。ここで、Ｃ１およびＣ２のためのアクノレッジメント情報は結合され、第１の１０コードシンボルにおけるキャリア１および２のための第２のＴＴＩ １４０５−ａにおける半スロットにおいて、（ＤＣ−ＨＳＤＰＡコードブックを使用して）ＡＣＫ／ＮＡＣＫコードワードで連帯的に符号化される。スロットのうちの第２の半分では、ＵＥ伝送のＨＳ−ＤＰＣＣＨ部分がオフにされうる。
【００９３】
図１５では、ブロック図１５００は第３のオプションを例示する。ここにおいて、キャリア１、２のためのアクノレッジメント情報は、ＳＦ２５６を使用して全体スロット１５０５のために送信される。キャリア１、２のためのＡＣＫ／ＮＡＣＫは、ＤＣ−ＨＳＤＰＡのためにＲｅｌ−８において使用されるコードブックと同じものを使用して送信されうる。第３のオプションによると、拡散率は、このように、その時に受信されるキャリアの数に依存して、スロット毎に変化しうる。
【００９４】
図１６では、ブロック図１６００は第４のオプションを例示する。ここで、キャリア１、２のためのアクノレッジメント情報は、第１の１０コードシンボル１６０５において送信される。第２の１０コードシンボルにおいて、他方の２つのキャリア（例えば、キャリア３、４）のための不連続な伝送（すなわち、「ＤＴＸ」）を表すコードワード１６１０が送信されうる。ＤＣ−ＨＳＤＰＡあるいはＤＣ−ＭＩＭＯコードブックは、例えば、このような追加的なコードワードを含むように変形されうる。
【００９５】
図１３-１６に示されるアクノレッジメント情報のためのチャネル構造に対する変形は、ＵＥによって検出された第２のキャリアが、キャリア１、２の代わりにキャリア３、４を含むケースのために便宜を図るために容易になされうるということを当業者は理解するだろう。
【００９６】
３つのＤＬキャリア（ＭＩＭＯおよび／あるいは非ＭＩＭＯ）が動作のために構成されている場合に、（例えば、Ｒｅｌ−９までのＡＣＫ／ＮＡＣＫコードブックのような）レガシコードブックがＨＳ−ＤＰＣＣＨにマッピングされうる多数の異なるやり方が存在しうる。また、表１が１つの例示を提供する。  
【表１】
0005563104.tif 000002
【００９７】
表２はさらに、４つのＤＬキャリア（ＭＩＭＯおよび／あるいは非ＭＩＭＯ）が動作のために構成されている場合に、レガシコードブックがＨＳ−ＤＰＣＣＨチャネルにどのようにマッピングされうるかの実例を提供する。  
【表２】
0005563104.tif 000003
【００９８】
フレキシビリティのために多数の追加的なオプションが存在する。１つの実例のセットにおいて、１つのＭＩＭＯキャリアを含む３つのＤＬキャリアのためのＣＱＩおよびＡＣＫ／ＮＡＣＫ信号のフィードバックが、下記に説明される２つのオプションを使用してサポートされうる。示される実例において、キャリア１、２は非ＭＩＭＯであって、キャリア３はＭＩＭＯである。
【００９９】
図１７は、ＴＴＩ １７００においてＣＱＩおよびアクノレッジメント情報を送信するための第１のオプションを例示する。図１７において、非ＭＩＭＯキャリア１、２のためのアクノレッジメント情報は、ＤＣ−ＨＳＤＰＡ ＡＣＫ／ＮＡＫコードブック１７０５を使用して符号化され、ＭＩＭＯキャリア３のためのアクノレッジメント情報は、ＳＣ−ＭＩＭＯ ＡＣＫ／ＮＡＫコードブック１７１０を使用して符号化されうる。非ＭＩＭＯキャリア１、２のためのチャネル品質情報は、ＤＣ−ＨＳＤＰＡ ＣＱＩコードブックからのコードワードを使用して符号化され、信号スロット１７１５において提供されうる。ＭＩＭＯキャリア３のためのチャネル品質情報は、後続のスロット１７２０において、ＳＣ−ＭＩＭＯ ＣＱＩコードブックからのコードワードを使用して符号化されうる。ＣＱＩフィードバック周期は、３つのキャリア１、２、および３すべてに対して１でありうる。
【０１００】
図１８は、ＴＴＩ １８００においてＣＱＩおよびアクノレッジメント情報を送信するための第２のオプションを例示する。図１８において、非ＭＩＭＯキャリア１のためのアクノレッジメント情報は、ＳＣ−ＨＳＤＰＡ ＡＣＫ／ＮＡＫコードブック１８０５を使用して符号化され、非ＭＩＭＯキャリア２およびＭＩＭＯキャリア３のためのアクノレッジメント情報は、ＤＣ−ＭＩＭＯ ＡＣＫ／ＮＡＫコードブック１８１０を使用して符号化されうる。さらに、非ＭＩＭＯキャリア１のためのチャネル品質情報は、ＳＣ−ＨＳＤＰＡ ＣＱＩコードブック１８１５からのコードワードを使用して符号化され、非ＭＩＭＯキャリア２およびＭＩＭＯキャリア３のためのチャネル品質情報は、ＤＣ−ＭＩＭＯ ＣＱＩコードブック１８２０からのコードワードを使用して符号化されうる。さらに、キャリア２、３のためのＣＱＩフィードバック周期は２であり、一方で、キャリア１のためのＣＱＩフィードバック周期は１でありうる。
【０１０１】
別の実例において、２つのＭＩＭＯキャリアを含む３のＤＬキャリアのためのＣＱＩおよびＡＣＫ／ＮＡＫ信号のフィードバックがサポートされうる。キャリア１は非ＭＩＭＯであり、キャリア２、３はＭＩＭＯである。図１９は、ＴＴＩ １９００においてＣＱＩおよびアクノレッジメント情報を送信するためのオプションを例示する。図１９において、非ＭＩＭＯキャリア１およびＭＩＭＯキャリア２のためのアクノレッジメント情報は、ＤＣ−ＭＩＭＯ ＡＣＫ／ＮＡＫコードブック１９０５を使用して符号化され、ＭＩＭＯキャリア３のためのアクノレッジメント情報は、本明細書において先に説明されたように、ＳＣ−ＭＩＭＯ ＡＣＫ／ＮＡＫコードブック１９１０を使用して符号化されうる。さらに、非ＭＩＭＯキャリア１のためのＣＱＩは、ＳＣ−ＨＳＤＰＡ ＣＱＩコードブック１９１５からのコードワードを使用して符号化され、ＭＩＭＯキャリアのうちの１つ（図１９のＭＩＭＯキャリア２）のためのＣＱＩは、後続のスロット１９２０においてＳＣ−ＭＩＭＯ ＣＱＩコードブックからのコードワードを使用して符号化されうる。もう１つのＭＩＭＯキャリア（すなわち、この実例におけるＭＩＭＯキャリア３）のためのＣＱＩ信号がその後のスロットにおいて送信されうることに留意されたい。ＣＱＩフィードバック周期は、３つのキャリア全てに対して１.５であり、ＳＣ−ＨＳＤＰＡ ＣＱＩのＣ／Ｐは、ＤＣ−ＭＩＭＯ ＣＱＩのＣ／Ｐよりも２ｄＢぶん低い可能性がある。
【０１０２】
したがって、図８−１９に説明される実例において例示されるように、異なるコードブックと、拡散率と、マッピングとが、アップリンクでＣＱＩおよびアクノレッジメント情報を送信するときに使用され、構成はアクティベートされたキャリアの数と、ＭＩＭＯが使用されているかどうかとに依存しうる。反復および結合符号化はまた、これらのファクタに基づいて使用されうる。フレキシブルなやり方でこれらの技術を使用して、一定のフィードバック周期がいくつかの実例において維持される。
【０１０３】
多数の技術がまた、システムにおいて、アクティブなキャリアの論理マッピングのために使用されうる。ＨＳＤＰＡシステムにおいて、周波数に対するキャリアの論理マッピングが、ＲＲＣシグナリングによって提供され、下記のようになされうる。Ｃ１≧Ｆ１、Ｃ２≧Ｆ２、Ｃ３≧Ｆ３、Ｃ４≧Ｆ４であり、ここにおいて、Ｃ１−Ｃ４は論理キャリアナンバ１乃至４を表し、Ｆ１−Ｆ４は実際のキャリア周波数１乃至４を表す。１つの実例において、４つのＤＬキャリアが構成され、ノードＢが１つのキャリアをデアクティベートする場合に起こりうるアクティブなキャリアの結果のセットがリストアップされうる。
【０１０４】
１） ３つのＤＬキャリア； ３つの非ＭＩＭＯキャリア；
２） ３つのＤＬキャリア； ２つの非ＭＩＭＯキャリア＋１つのＭＩＭＯキャリア；
３） ３つのＤＬキャリア； １つの非ＭＩＭＯキャリア＋２つのＭＩＭＯキャリア；
４） ３つのＤＬキャリア； ３つのＭＩＭＯキャリア；
非常に多くの組み合わせが起こりうるという事実のために、マッピングのためのルールが望まれうる。１つの実例において、論理マッピングの順序が、キャリアがデアクティベートされる場合に維持されるものとする。
【０１０５】
図２０は、アップリンク制御チャネルを構成するための方法２０００のフローチャートである。方法２０００は、例えば、図１、図２、図４あるいは図６に関連して説明され、図１のシステム１００、あるいは図２のシステム２００において実施されるＵＥ１１５によって全体的に又は部分的に実行されうる。ブロック２００５において、チャネル品質情報が、複数のダウンリンクキャリアのために推定される。ブロック２０１０において、アップリンク制御チャネルが、複数の中のキャリアの数に少なくとも部分的に基づいて構成される。
【０１０６】
図２１は、アップリンク制御チャネルを構成するための方法２１００のフローチャートである。方法２１００は、例えば、図１、２、４あるいは６に関連して説明され、図１のシステム１００、あるいは図２のシステム２００において実施される、ＵＥ１１５によって全体的に又は部分的に実行されうる。
【０１０７】
ブロック２１０５において、チャネル品質情報が、複数のダウンリンクキャリアのために推定される。ブロック２１１０において、アクティブなキャリアの数が識別される。ブロック２１１５において、ＭＩＭＯを用いて構成されたアクティブなキャリアの数が識別される。ブロック２１２０において、アップリンク制御チャネルは、複数の中のキャリアの数と、ＭＩＭＯを用いて構成されたキャリアの数とに少なくとも部分的に基づいて構成される。ここにおいて、フィードバック周期は一定のままである。
【０１０８】
図２２は、アップリンク制御チャネルを構成するための方法２２００のフローチャートである。方法２２００は、例えば、図１、図２、図４あるいは図６に関連して説明され、図１のシステム１００、あるいは図２のシステム２００において実施されるＵＥ１１５によって全体的に又は部分的に実行されうる。
【０１０９】
ブロック２２０５において、ダウンリンクにおけるアクティブなキャリアの数が識別される。ブロック２２１０において、ＭＩＭＯを用いて構成されたアクティブなキャリアの数が識別される。ブロック２２１５において、各アクティブなキャリアのためのＣＱＩおよびアクノレッジメント情報が識別される。ブロック２２２０において、コードブックと、反復の使用と、アクノレッジメント情報の伝送に関連するマッピングとが、アクティブなキャリアの数と、ＭＩＭＯキャリアの数とに基づいて選択される。ブロック２２２５において、コードブックと、反復の使用と、ＣＱＩの伝送に関連するマッピングとが、アクティブなキャリアの数と、ＭＩＭＯキャリアの数とに基づいて選択される。
【０１１０】
（説明に関する留意事項）
添付図面に関連して上述された詳細な説明は、例示的な実施形態を説明するものであり、実施されうるあるいは請求項の範囲内に含まれる実施形態のみを表すものではない。本文書にわたって使用される用語「例示的（exemplary）」は、「好ましい」あるいは「その他の実施形態よりも有利である」ということではなく、「実例、インスタンス、あるいは例示として役立つこと」を意味する。詳細な説明は、説明された技術の徹底した理解を提供することを目的とする特定の詳細を含む。しかしながら、これらの技術は、これら特定の詳細を用いることなく実践されうる。いくつかのインスタンスにおいて、周知の構造およびデバイスは、説明された実施形態の概念を曖昧にすることを回避するために、ブロック図形態で示される。
【０１１１】
情報および信号は、様々な異なる技術および技法のうちの任意のものを使用して表されうる。例えば、上記の説明を通して参照されうるデータ、命令群、コマンド、情報、信号、ビット、シンボル、およびチップは、電圧、電流、電磁波、磁界あるいは磁気粒子、光学界または光学粒子、あるいはそれら任意の組み合わせによって表わされうる。
【０１１２】
本明細書における開示に関連付けて説明された多様な例示的なブロック、サーバー、およびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいはその他のプログラマブルロジックデバイス、離散ゲートもしくはトランジスタロジック、離散ハードウェアコンポーネント、あるいは本明細書において説明される機能を実行するために設計された、それら任意の組合せで実施あるいは実行されうる。汎用プロセッサはマイクロプロセッサでありうるが、代替例として、このプロセッサは、任意の従来型のプロセッサ、コントローラ、マイクロコントローラ、あるいはステートマシンでありうる。プロセッサはまた、例えば、ＤＳＰとマイクロプロセッサの組み合わせ、複数のマイクロプロセッサ、ＤＳＰコアと連結した１又は複数のマイクロプロセッサ、もしくはその他任意のこのような構成のような、コンピューティングデバイスの組み合わせとして実現されうる。
【０１１３】
本明細書において説明された機能は、ハードウェア、プロセッサによって実行されるソフトウェア、ファームウェア、あるいはそれら任意の組み合わせにおいて実施されうる。プロセッサによって実行されるソフトウェアにおいて実現される場合、機能は、１又は複数の命令群あるいはコードとして、コンピュータ可読媒体に記憶されうる、もしくはそれによって送信されうる。コンピュータ可読媒体は、ある場所から別の場所へのコンピュータプログラムの伝達を容易にする任意の媒体を含む通信媒体とコンピュータ記憶媒体との両方ともを含む。記憶媒体は、汎用コンピュータあるいは特殊用途コンピュータによってアクセスされうる任意の利用可能な媒体でありうる。限定ではなく、実例として、コンピュータ可読媒体は、ＲＡＭ、ＲＯＭ、ＥＥＰＲＯＭ、ＣＤ−ＲＯＭ、あるいはその他の光学ディスク記憶装置、磁気ディスク記憶装置又はその他の磁気記憶デバイス、あるいは、命令群又はデータ構造の形態で望ましいプログラムコード手段を搬送又は格納するために使用されることができ、かつ、汎用又は特殊用途コンピュータ、あるいは汎用又は特殊用途プロセッサによってアクセスすることができるその他任意の媒体を備えうる。更に、任意のコネクションが、コンピュータ可読媒体と適切に称される。例えば、同軸ケーブルや、光ファイバケーブルや、ツイストペアや、デジタル加入者回線（ＤＳＬ）や、あるいは、赤外線、ラジオ、及びマイクロ波のような無線技術を使用して、ウェブサイト、サーバー、あるいはその他の遠隔ソースからソフトウェアが送信される場合、同軸ケーブルや、光ファイバケーブルや、ツイストペアや、ＤＳＬや、あるいは赤外線、ラジオ、及びマイクロ波のような無線技術は、媒体の定義に含まれる。本明細書で使用されるようなディスク（disk）及びディスク（disc）は、コンパクトディスク（ＣＤ）（disc）、レーザディスク（disc）、光学ディスク(disc)、デジタルバーサタイルディスク（ＤＶＤ）（disk）、フロッピー（登録商標）ディスク（disk）及びブルーレイ（登録商標）ディスク（disc）を含む。ここで、ディスク（disk）は通常、データを磁気的に再生する一方、ディスク（disc）はレーザを用いてデータを光学的に再生する。上記のものによる組合せも、コンピュータ可読媒体の範囲内に含まれる。
【０１１４】
本開示の以上の説明は、当業者が本開示を製造あるいは使用できるように提供される。本開示に対する様々な変形例が当業者に対して容易に明らかになるだろう。また、本明細書で定義された一般的原理は、本開示の精神あるいは範囲から逸脱することなくその他のバリエーションに適用されうる。本開示を通して、用語「実例（example）」あるいは「例示的（exemplary）」は、実例あるいはインスタンスを示すものであり、言及された実例に対するいかなる選好を暗に示すものでも必要とするものでもない。よって、本開示は、本明細書において説明される実例および設計に限定されるものではなく、本明細書において開示された原理および新規の特徴と矛盾しない最大範囲であると認められるべきである。
【０１１５】
これらのデバイスのユニットは、個々に又は集合的に、ハードウェアにおいて適用可能な機能のいくつかあるいはすべてを実行するように適合された１又は複数の特定用途向け集積回路（ＡＳＩＣ）を用いて実施されうる。代替的に、これらの機能は、１又は複数の集積回路で、１又は複数のその他の処理ユニット（あるいはコア）によって実行されうる。その他の実施形態において、その他のタイプの集積回路（例えば、構造化（structured）／プラットフォームＡＳＩＣ、フィールドプログラマブルゲートアレイ（ＦＰＧＡ）、およびその他の半カスタムＩＣ）が使用されうる。これらは、当該技術分野において周知の任意のやり方でプログラムされうる。各ユニットの機能はまた、全体的にあるいは部分的に、メモリ内に統合される命令群を用いて実施され、１又は複数の汎用あるいは特定用途向けのプロセッサによって実行されるようにフォーマットされうる。
なお、以下に、出願当初の特許請求の範囲に記載された発明を付記する。
［Ｃ１］無線通信のための方法であって、
複数のダウンリンクキャリアのためのチャネル品質情報を推定することと、
複数の中（in the plurality）のアクティベートされたキャリアの数に少なくとも部分的に基づいてアップリンク制御チャネルを構成することとを備える無線通信のための方法。
［Ｃ２］前記アップリンク制御チャネルを構成することは、
複数の中に第１の数のアクティベートされたキャリアが存在する場合に、送信タイミング間隔の一部内でコードワードを反復することを備えるＣ１に記載の方法。
［Ｃ３］前記アップリンク制御チャネルを構成することはさらに、
前記反復に応答して、前記アップリンク制御チャネルを送信するモバイルデバイスにおける電力を低減することを備えるＣ２に記載の方法。
［Ｃ４］前記アップリンク制御チャネルは、アクティベートされたキャリアの異なる数に対して、一定のフィードバック周期を維持するように構成されるＣ１に記載の方法。
［Ｃ５］前記アップリンク制御チャネルを構成することは、
複数の中に第１の数のアクティベートされたキャリアが存在する場合に、第１のコードワードで第１のキャリアのためのチャネル品質情報を符号化すること、および第２のコードワードで第２のキャリアのためのチャネル品質情報を符号化することを実行することと、
送信タイミング間隔内での伝送のための前記第１のコードワードおよび前記第２のコードワードをグループ化することとを備えるＣ１に記載の方法。
［Ｃ６］前記アップリンク制御チャネルを構成することはさらに、
前記複数のダウンリンクキャリアのうちの第２の数のダウンキャリアがアクティベートされている場合に、第３のコードワードで第１のキャリアのためのチャネル品質情報をグループ化することと、
前記送信タイミング間隔において前記コードワードを反復することとを備えるＣ５に記載の方法。
［Ｃ７］前記アップリンク制御チャネルを構成することは、
複数の中に第１の数のアクティベートされたキャリアが存在する場合に、第１のコードワードを使用して第１のキャリアおよび第２のキャリアのためのアクノレッジメント情報を符号化すること、および第２のコードワードを使用して第３のキャリアおよび第４のキャリアのためのアクノレッジメント情報を符号化することを実行することと、
送信タイミング間隔のスロット内での伝送のための前記第１のコードワードおよび前記第２のコードワードをグループ化することとを備えるＣ１に記載の方法。
［Ｃ８］前記アップリンク制御チャネルを構成することはさらに、
複数の中に第２の数のアクティベートされたキャリアが存在する場合に、第３のコードワードを使用して１又は複数のキャリアのためのアクノレッジメント情報を符号化することと、
前記送信タイミング間隔のスロット内で前記第３のコードワードを反復することとを備えるＣ７に記載の方法。
［Ｃ９］前記アップリンク制御チャネルを構成することは、
複数の中に３つのアクティベートされたキャリアが存在する場合に、第１のコードワードを使用して第１のキャリアおよび第２のキャリアのためのアクノレッジメント情報を符号化すること、および第２のコードワードを使用して第３のキャリアのためのアクノレッジメント情報を符号化することを実行することと、
送信タイミング間隔のスロット内での伝送のための前記第１のコードワードおよび前記第２のコードワードをグループ化することとを備えるＣ１に記載の方法。
［Ｃ１０］前記アップリンク制御チャネルを構成することは、
送信タイミング間隔の半スロット内の伝送のために、第１のコードワードを使用して１又は複数のキャリアのためのアクノレッジメント情報を符号化することを備えるＣ１に記載の方法。
［Ｃ１１］前記アップリンク制御チャネルを構成することはさらに、
前記複数のダウンリンクキャリアのうちの１又は複数がＭＩＭＯを用いて構成されているかどうかに少なくとも部分的に基づいて、アップリンク制御チャネルを構成することを備えるＣ１に記載の方法。
［Ｃ１２］前記アップリンク制御チャネルを構成することはさらに、
複数の中に第１の数のアクティベートされたキャリアが存在する場合に、送信タイミング間隔の一部のために第１の拡散率を使用することと、
複数の中に第２の数のアクティベートされたキャリアが存在する場合に、前記送信タイミング間隔の一部のために第２の拡散率を使用することとを備え、前記第２の数は前記第１の数と異なるＣ１に記載の方法。
［Ｃ１３］前記アップリンク制御チャネルを構成することはさらに、
複数の中の１又は複数のアクティベートされたキャリアのための不連続な伝送が存在する場合に、不連続な伝送を表すコードワードを使用して、１又は複数のキャリアのためのアクノレッジメント情報を符号化することを備えるＣ１に記載の方法。
［Ｃ１４］前記アップリンク制御チャネルを構成することはさらに、
複数の中に第１の数のアクティベートされたキャリアが存在する場合に、送信タイミング間隔の第１の部分に第１のキャリアをマッピングすることと、
複数の中に第２の数のアクティベートされたキャリアが存在する場合に、送信タイミング間隔の第２の部分に前記第１のキャリアをマッピングすることとを備え、前記第２の数は前記第１の数と異なるＣ１に記載の方法。
［Ｃ１５］前記アップリンク制御チャネルを構成することはさらに、
少なくとも４つのキャリアを識別することであって、前記４つのキャリアは論理シーケンシャル順序に関連付けられることと、
前記少なくとも４つのキャリアのうちの１つのデアクティベーションを識別することと、
前記アップリンク制御チャネルで残りのアクティブなキャリアの論理シーケンシャル順序を保存することとを備えるＣ１に記載の方法。
［Ｃ１６］前記アップリンク制御チャネルを構成することはさらに、
第１の数のキャリアのアクティベーションを識別することと、
追加的なキャリアのアクティベーションを識別することと、
前記追加的なキャリアのアクティベーションに応答して、前記アップリンク制御チャネルの構成を変更することとを備えるＣ１に記載の方法。
［Ｃ１７］無線通信のためのモバイル端末であって、
複数のダウンリンクキャリアのためのチャネル品質情報を推定するように構成されたチャネル品質情報測定モジュールと、
複数の中のアクティベートされたキャリアの数に少なくとも部分的に基づいてアップリンク制御チャネルを変形するように構成され、前記チャネル品質情報測定モジュールに通信的に結合されたフィードバック符号化器モジュールとを備える無線通信のためのモバイル端末。
［Ｃ１８］前記アップリンク制御チャネルを変形するために、前記フィードバック符号化器モジュールは、
複数の中に第１の数のアクティベートされたキャリアが存在する場合に、送信タイミング間隔の一部のためにコードワードを反復し、
複数の中に第２の数のアクティベートされたキャリアが存在する場合に、前記送信タイミング間隔の一部のために様々なコードワードを使用するように構成され、前記第２の数は前記第１の数と異なるＣ１７に記載のモバイル端末。
［Ｃ１９］前記アップリンク制御チャネルを変形するために、前記フィードバック符号化器モジュールは、
送信タイミング間隔においてコードワードを反復し、
前記反復に応答して前記モバイル端末における伝送電力を低減するように構成されるＣ１７に記載のモバイル端末。
［Ｃ２０］前記フィードバック符号化器モジュールは、アクティベートされたキャリアの異なる数に対して、一定のフィードバック周期を維持するように構成されるＣ１７に記載のモバイル端末。
［Ｃ２１］前記アップリンク制御チャネルを変形するために、前記フィードバック符号化器モジュールは、
前記複数のダウンリンクキャリアのうちの第１の数のダウンキャリアがアクティベートされている場合に、第１のコードワードで第１のキャリアのためのチャネル品質情報をグループ化し、
送信タイミング間隔の一部において前記コードワードを反復するように構成されるＣ１７に記載のモバイル端末。
［Ｃ２２］前記アップリンク制御チャネルを変形するために、前記フィードバック符号化器モジュールは、
複数の中に第２の数のアクティベートされたキャリアが存在する場合に、第２のコードワードで第１のキャリアのためのチャネル品質情報を符号化すること、および第３のコードワードで第２のキャリアのためのチャネル品質情報を符号化することを実行し、
前記送信タイミング間隔の一部内での伝送のための前記第２のコードワードおよび前記第３のコードワードをグループ化するように構成されるＣ２１に記載のモバイル端末。
［Ｃ２３］前記アップリンク制御チャネルを変形するために、前記フィードバック符号化器モジュールは、
複数の中に第１の数のアクティベートされたキャリアが存在する場合に、第１のコードワードを使用して第１のキャリアおよび第２のキャリアのためのアクノレッジメント情報を符号化すること、および第２のコードワードを使用して第３のキャリアおよび第４のキャリアのためのアクノレッジメント情報を符号化することを実行し、
送信タイミング間隔のスロット内での伝送のための前記第１のコードワードおよび前記第２のコードワードをグループ化するように構成されるＣ１７に記載のモバイル端末。
［Ｃ２４］前記アップリンク制御チャネルを変形するために、前記フィードバック符号化器モジュールは、
複数の中に第２の数のアクティベートされたキャリアが存在する場合に、第３のコードワードを使用して２つのキャリアのためのアクノレッジメント情報を符号化し、
前記送信タイミング間隔のスロット内で前記第３のコードワードを反復するように構成されるＣ２３に記載のモバイル端末。
［Ｃ２５］前記アップリンク制御チャネルを変形するために、前記フィードバック符号化器モジュールは、
複数の中に３つのアクティベートされたキャリアが存在する場合に、第１のコードワードを使用して第１のキャリアおよび第２のキャリアのためのアクノレッジメント情報を符号化すること、および第２のコードワードを使用して第３のキャリアのためのアクノレッジメント情報を符号化することを実行し、
送信タイミング間隔のスロット内での伝送のための前記第１のコードワードおよび前記第２のコードワードをグループ化するように構成されるＣ１７に記載のモバイル端末。
［Ｃ２６］前記アップリンク制御チャネルを変形するために、前記フィードバック符号化器モジュールは、
送信タイミング間隔の半スロット内の伝送のために、第１のコードワードを使用して１又は複数のキャリアのためのアクノレッジメント情報を符号化するように構成されるＣ１７に記載のモバイル端末。
［Ｃ２７］前記アップリンク制御チャネルを変形するために、前記フィードバック符号化器モジュールは、
複数の中に第１の数のアクティベートされたキャリアが存在する場合に、不連続な伝送を表すコードワードを使用して、１又は複数のアクティベートされたキャリアのためのアクノレッジメント情報を符号化するように構成されるＣ１７に記載のモバイル端末。
［Ｃ２８］前記アップリンク制御チャネルを変形するために、前記フィードバック符号化器モジュールは、
前記複数のダウンリンクキャリアのうちの１又は複数がＭＩＭＯを用いて構成されているかどうかに少なくとも部分的に基づいて、アップリンク制御チャネルを変形するように構成されるＣ１７に記載のモバイル端末。
［Ｃ２９］前記アップリンク制御チャネルを変形するために、前記フィードバック符号化器モジュールは、
複数の中に第１の数のアクティベートされたキャリアが存在する場合に、送信タイミング間隔の一部のために第１の拡散率を使用し、
複数の中に第２の数のアクティベートされたキャリアが存在する場合に、前記送信タイミング間隔の一部のために第２の拡散率を使用するように構成され、前記第２の数は前記第１の数と異なるＣ１７に記載のモバイル端末。
［Ｃ３０］前記アップリンク制御チャネルを変形するために、前記フィードバック符号化器モジュールは、
複数の中に第１の数のアクティベートされたキャリアが存在する場合に、送信タイミング間隔の第１の部分に第１のキャリアをマッピングし、
複数の中に第２の数のアクティベートされたキャリアが存在する場合に、送信タイミング間隔の第２の部分に前記第１のキャリアをマッピングするように構成され、前記第２の部分は前記第１の部分と異なるＣ１７に記載のモバイル端末。
［Ｃ３１］少なくとも４つのキャリアがアクティベートされ、前記４つのキャリアは論理シーケンシャル順序に関連付けられ、
前記少なくとも４つのキャリアのうちの１つがデアクティベートされている場合、前記残りのアクティブなキャリアの前記論理シーケンシャル順序は、前記アップリンク制御チャネルにおいて保存されるＣ１７に記載のモバイル端末。
［Ｃ３２］前記チャネル品質情報測定モジュールはさらに、
第１の数のキャリアを識別し、
追加的なキャリアのアクティベーションを識別するように構成され、
前記フィードバック符号化器モジュールはさらに、前記追加的なキャリアのアクティベーションに応答して、前記アップリンク制御チャネルの構成を変形するように構成されるＣ１７に記載のモバイル端末。
［Ｃ３３］複数のダウンリンクキャリアのためのチャネル品質情報を推定する手段と、
複数の中のアクティベートされたキャリアの数に少なくとも部分的に基づいてアップリンク制御チャネルを構成する手段とを備える無線通信のためのデバイス。
［Ｃ３４］前記アップリンク制御チャネルを構成する手段は、
複数の中に第１の数のアクティベートされたキャリアが存在する場合に、送信タイミング間隔の一部内でコードワードを反復する手段を備えるＣ３３に記載のデバイス。
［Ｃ３５］前記アップリンク制御チャネルを構成する手段は、
前記反復に応答して、前記アップリンク制御チャネルを送信するモバイルデバイスにおける電力を低減する手段を備えるＣ３４に記載のデバイス。
［Ｃ３６］前記アップリンク制御チャネルを構成する手段は、
アクティベートされたキャリアの異なる数に対して、一定のフィードバック周期を維持するＣ３３に記載のデバイス。
［Ｃ３７］前記アップリンク制御チャネルを構成する手段は、
前記複数のダウンリンクキャリアのうちの１又は複数がＭＩＭＯを用いて構成されているかどうかに少なくとも部分的に基づいて、アップリンク制御チャネルを構成する手段を備えるＣ３３に記載のデバイス。
［Ｃ３８］コンピュータ可読媒体を備えるコンピュータプログラム製品であって、
前記コンピュータ可読媒体は、
コンピュータに、複数のダウンリンクキャリアのためのチャネル品質情報を推定させるためのコードと、
コンピュータに、複数の中のアクティベートされたキャリアの数に少なくとも部分的に基づいてアップリンク制御チャネルを構成させるためのコードとを備えるコンピュータプログラム製品。
［Ｃ３９］コンピュータに、前記アップリンク制御チャネルを構成させるための前記コードは、
コンピュータに、複数の中に第１の数のアクティベートされたキャリアが存在する場合に、送信タイミング間隔の一部内でコードワードを反復させるためのコードを備えるＣ３８に記載のコンピュータプログラム製品。
［Ｃ４０］コンピュータに、前記アップリンク制御チャネルを構成させるための前記コードは、
コンピュータに、前記反復に応答して、前記アップリンク制御チャネルを送信するモバイルデバイスにおける電力を低減させるためのコードを備えるＣ３９に記載のコンピュータプログラム製品。
［Ｃ４１］コンピュータに、前記アップリンク制御チャネルを構成させるための前記コードは、
コンピュータに、前記複数のダウンリンクキャリアのうちの１又は複数がＭＩＭＯを用いて構成されているかどうかに少なくとも部分的に基づいて、アップリンク制御チャネルを構成させるためのコードを備えるＣ３８に記載のコンピュータプログラム製品。
【図１】
0005563104.tif 000004
【図２】
0005563104.tif 000005
【図３】
0005563104.tif 000006
【図４】
0005563104.tif 000007
【図５】
0005563104.tif 000008
【図６】
0005563104.tif 000009
【図７】
0005563104.tif 000010
【図８】
0005563104.tif 000011
【図９】
0005563104.tif 000012
【図１０】
0005563104.tif 000013
【図１１】
0005563104.tif 000014
【図１２】
0005563104.tif 000015
【図１３】
0005563104.tif 000016
【図１４】
0005563104.tif 000017
【図１５】
0005563104.tif 000018
【図１６】
0005563104.tif 000019
【図１７】
0005563104.tif 000020
【図１８】
0005563104.tif 000021
【図１９】
0005563104.tif 000022
【図２０】
0005563104.tif 000023
【図２１】
0005563104.tif 000024
【図２２】
0005563104.tif 000025